(57)【要約】  条件付きハンドオーバー（ＣＨＯ）のための方法が、本実施形態のいくつかにおいて、開示される。本方法は、送信元基地局（例えばｇＮＢまたはｅＮＢ）から、ターゲット基地局（例えばターゲットｇＮＢまたはターゲットｅＮＢ）に関連付けられたターゲットセルへのＣＨＯのための１つ以上のトリガー条件に各々が関連付けられる１つ以上のＣＨＯ命令を受信してよい。本方法は、各々受信した（および有効な）ＣＨＯ命令に関連するトリガー条件を連続的に評価してよい。本方法が、トリガー条件の少なくとも１つが満たされたと決定するとき、本方法は、ＣＨＯ命令に関連付けられた１つ以上の候補ターゲットセルに接続するために、トリガー条件に関連付けられたＣＨＯ命令を実行してもよい。
2021510272.tif 000002
【特許請求の範囲】
【請求項１】
ユーザ機器（ＵＥ）のための条件付きハンドオーバー（ＣＨＯ）手順の方法であって、
前記ＵＥによって、送信元基地局から１つ以上のＣＨＯ命令を受信し、保存する工程であって、前記１つ以上のＣＨＯ命令は、それぞれ１つ以上の候補ターゲットセルへの条件付きハンドオーバーのための少なくとも１つのトリガー条件を有する、工程と、
前記ＵＥによって、前記１つ以上のＣＨＯ命令のいずれかにおける前記少なくとも１つのトリガー条件が満たされているかどうかを評価する工程と、
前記ＵＥによって、前記評価に基づいて、ＣＨＯ通知を前記送信元基地局に送信する工程と、を含む方法であって、
前記１つ以上のＣＨＯ命令の少なくとも１つは、
退出条件、
ターゲットセルの識別子（ＩＤ）、
ライフタイマー、
ＣＨＯ命令の優先度、
ＣＨＯ命令のＩＤ、
１つ以上の専用ランダムアクセスチャンネル（ＲＡＣＨ）構成、または
１つ以上の共通ＲＡＣＨ構成
のうち少なくとも１つを含む、方法。
【請求項２】
前記少なくとも１つのトリガー条件を満たすとき、前記１つ以上の候補ターゲットセルに接続するために、前記ＵＥによって、前記少なくとも１つ以上のＣＨＯ命令のうち前記少なくとも１つを実行する工程、
をさらに備える、請求項１に記載の方法。
【請求項３】
前記少なくとも１つのトリガー条件を満たすとき、前記１つ以上のＣＨＯ命令の前記少なくとも１つを実行するかどうかについての、前記送信元基地局からの指令を受信するために、前記ＵＥによって、待機する工程、
をさらに備える、請求項１に記載の方法。
【請求項４】
前記送信元基地局からの前記指令は、
前記ＵＥに対する前記１つ以上のＣＨＯ命令の前記少なくとも１つを実行することの確認、
前記ＵＥに対する前記１つ以上のＣＨＯ命令の前記少なくとも１つを実行することの拒否、
前記ＣＨＯ通知に示された前記１つ以上のＣＨＯ命令の前記少なくとも１つとは異なる、前記１つ以上のＣＨＯ命令の１つのＣＨＯ命令を実行することを前記ＵＥに指令するＣＨＯ実行命令、または、
ターゲットセルに接続することを前記ＵＥに指令する従来のハンドオーバー命令であって、前記従来のハンドオーバー命令は、トリガー条件なしのハンドオーバー命令であり、前記１つ以上のＣＨＯ命令のいずれでもない命令、
を含む、請求項３に記載の方法。
【請求項５】
前記送信元基地局からの指令を受信すると、
前記ＵＥは、
前記１つ以上のＣＨＯ命令の１つを実行するか、
従来のハンドオーバー命令を実行するか、
ＣＨＯ実行命令を受信したとき、進行中のＣＨＯ命令の実行を停止し、および、前記ＣＨＯ実行命令により示された対応するＣＨＯ命令を実行するか、または
従来のハンドオーバー命令を受信したとき、進行中のＣＨＯ命令の実行を停止し、および前記従来のハンドオーバー命令を実行する
請求項１に記載の方法。
【請求項６】
前記ＵＥが前記ＣＨＯ通知を前記送信元基地局に送信するとき、応答タイマーは動作を開始する、請求項１に記載の方法。
【請求項７】
前記応答タイマーが満了し、および、前記ＵＥが前記送信元基地局からの指令を受信していないとき、前記ＵＥは、前記１つ以上の候補ターゲットセルに接続するために、前記１つ以上のＣＨＯ命令のうちの前記少なくとも１つを実行する、請求項６に記載の方法。
【請求項８】
前記退出条件が満たされる、
前記ＣＨＯ手順が成功して実行される、
前記ＣＨＯ通知に示される前記１つ以上のＣＨＯ命令の前記少なくとも１つを実行することの拒否が受信される、
受信された従来のハンドオーバー命令が成功して実行される、または、
前記ライフタイマーが満了になる、
とき、前記１つ以上のＣＨＯ命令の前記少なくとも１つは、無効になるかまたはリリースされる、請求項１に記載の方法。
【請求項９】
前記１つ以上のＣＨＯ命令における前記少なくとも１つのトリガー条件のうちの１つより多い前記トリガー条件が満たされるとき、前記ＵＥは、前記ＣＨＯ命令の優先度に基づいて、前記１つ以上のＣＨＯ命令に優先順位を付け、最も高いＣＨＯ命令の優先度を有する前記ＣＨＯ命令を実行する、請求項１に記載の方法。
【請求項１０】
ＣＨＯ通知に含まれる前記ＣＨＯ命令のＩＤは、
前記ＵＥによって実行されるＣＨＯ命令、または
少なくとも１つのトリガー条件が満たされたＣＨＯ命令
に対応する、請求項１に記載の方法。
【請求項１１】
前記ＵＥは、前記１つ以上の候補ターゲットセルに成功して接続しなかったことに応答して、
無線リソース制御（ＲＲＣ）接続の再確立手順を実行する工程、
別のトリガーされたＣＨＯ命令を実行する工程、または、
前記送信元基地局にＣＨＯ失敗報告を送信する工程、
の少なくとも１つを実行するように、構成される、請求項２に記載の方法。
【請求項１２】
１つ以上の非一時的なコンピュータ読み取り可能媒体であって、コンピュータ実行可能な命令を有するコンピュータ読み取り可能媒体、および、
前記１つ以上の非一時的なコンピュータ読み取り可能媒体に結合され、前記コンピュータ実行可能な命令を実行するように構成された少なくとも１つのプロセッサを備え、
前記少なくとも１つのプロセッサは、前記コンピュータ実行可能な命令を実行して、
送信元基地局から１つ以上のＣＨＯ命令を受信し、保存することであって、前記１つ以上のＣＨＯ命令は１つ以上の候補ターゲットセルへの条件付きのハンドオーバーのための少なくとも１つのトリガー条件をそれぞれ有すること、
前記１つ以上のＣＨＯ命令のいずれかにおける前記少なくとも１つのトリガー条件が満たされているかどうかを評価すること、および
前記評価に基づいて前記送信元基地局へＣＨＯ通知を送信すること、を実行するように構成され、
前記１つ以上のＣＨＯ命令の少なくとも１つは、
退出条件、
ターゲットセルの識別子（ＩＤ）
ライフタイマー
ＣＨＯ命令の優先度、
ＣＨＯ命令のＩＤ、
１つ以上の専用ランダムアクセスチャンネル（ＲＡＣＨ）構成、または、
１つ以上の共通ＲＡＣＨ構成、
のうち少なくとも一つを含む、
ユーザ機器（ＵＥ）。
【請求項１３】
前記少なくとも１つのプロセッサは、前記コンピュータ実行可能な命令を実行して
前記少なくとも１つのトリガー条件が満たされているとき、前記１つ以上のＣＨＯ命令の前記少なくとも１つを、前記１つ以上の候補ターゲットセルに接続するために、実行するように、
さらに構成される、請求項１２に記載のＵＥ。
【請求項１４】
前記少なくとも１つのプロセッサは、コンピュータ読み取り可能命令を実行して、
前記少なくとも１つのトリガー条件が満たされているとき、前記１つ以上のＣＨＯ命令の少なくとも１つを実行するかどうかについて、前記送信元基地局からの指令を受信するために待機する、ように、
さらに構成される、請求項１２に記載のＵＥ。
【請求項１５】
前記送信元基地局からの前記指令は、
前記ＵＥに対して、前記少なくとも１つの前記１つ以上のＣＨＯ命令を実行することの確認、
前記ＵＥに対して、前記少なくとも１つの前記１つ以上のＣＨＯ命令を実行することの拒否、
前記ＣＨＯ通知において示された前記１つ以上のＣＨＯ命令の前記少なくとも１つとは異なる前記１つ以上のＣＨＯ命令の１つのＣＨＯ命令を実行するように前記ＵＥに指令するＣＨＯ実行命令、または
ターゲットセルに接続するように前記ＵＥに指令する従来のハンドオーバー命令であって、前記従来のハンドオーバー命令は、トリガー条件なしのハンドオーバー命令であり、前記１つ以上のＣＨＯ命令のいずれでもない、ハンドオーバー命令
を含む、請求項１４に記載の前記ＵＥ。
【請求項１６】
前記送信元基地局から指令を受信すると、前記少なくとも１つのプロセッサは、コンピュータ実行可能な命令を実行して、
前記１つ以上のＣＨＯ命令の１つを実行する、
従来のハンドオーバー命令を実行する、
ＣＨＯ実行命令を受信したとき、進行中のＣＨＯ命令の実行を停止し、前記ＣＨＯ実行命令により示された対応するＣＨＯ命令を実行する、または、
従来のハンドオーバー命令を受け取るとき、進行中のＣＨＯ命令の実行を停止し、前記従来のハンドオーバー命令を実行する、ように、
さらに構成される、請求項１２に記載のＵＥ。
【請求項１７】
前記ＵＥが前記ＣＨＯ通知を前記送信元基地局に送信するとき、応答タイマーが動作を開始する、請求項１２に記載のＵＥ。
【請求項１８】
前記応答タイマーが満了し、前記ＵＥが前記送信元基地局からの指令を受信していないとき、前記ＵＥは前記１つ以上の候補ターゲットセルに接続するために、前記１つ以上のＣＨＯ命令のうちの前記少なくとも１つを実行する、請求項１７に記載のＵＥ。
【請求項１９】
前記退出条件が満たされる、
前記ＣＨＯ手順が成功して実行される、
前記ＣＨＯ通知に示される前記１つ以上ＣＨＯ命令の前記少なくとも１つを実行することの拒否が受信される、
受信された従来のハンドオーバー命令が成功して実行されるか、または
前記ライフタイマーが満了する、とき
前記１つ以上のＣＨＯ命令の前記少なくとも１つが無効またはリリースされる、
請求項１２に記載のＵＥ。
【請求項２０】
前記ＵＥは、前記１つ以上のＣＨＯ命令の前記少なくとも１つのトリガー条件のうちの１つより多い前記トリガー条件が満たされるとき、前記ＣＨＯ命令の優先度に基づいて前記１つ以上のＣＨＯ命令に優先順位を付け、最も高いＣＨＯ命令の優先度を有する前記ＣＨＯ命令を実行する、請求項１２に記載のＵＥ。
【請求項２１】
ＣＨＯ通知に含まれる前記ＣＨＯ命令のＩＤは、
前記ＵＥによって実行されるＣＨＯ命令、または
少なくとも１つのトリガー条件が満たされたＣＨＯ命令
に対応する、請求項１２に記載のＵＥ。
【請求項２２】
前記１つ以上の候補ターゲットセルに成功して接続しなかったことに応答して、前記ＵＥは、
無線リソース制御（ＲＲＣ）接続の再確立手順を実行する、
別のトリガーされたＣＨＯ命令を実行する、または、
前記送信元基地局にＣＨＯ失敗報告を送信する、
のうちの少なくとも１つを実行するように構成される
請求項１３に記載のＵＥ。
【発明の詳細な説明】
【技術分野】
【０００１】
〔関連出願の相互参照〕
本出願は、２０１８年１月１２日に出願された「Ｃｏｎｄｉｔｉｏｎａｌ  Ｈａｎｄｏｖｅｒ  Ｐｒｏｃｅｄｕｒｅ」という名称の米国仮特許出願第６２／６１６，７８５号、代理人整理番号ＵＳ７２１１６号（以下、「ＵＳ７２１１６出願」と称する）の利益および優先権を主張する。ＵＳ７２１１６出願の開示は、参照により本明細書に完全に組み込まれる。
【０００２】
〔技術分野〕
本開示は概して、無線通信に関し、より詳細には、条件付きハンドオーバー手順に関する。
【背景技術】
【０００３】
進化型ユニバーサル地上無線アクセスネットワーク（Ｅ−ＵＴＲＡＮ）といった無線通信ネットワークにおいて、ハンドオーバー障害の主な原因の１つは、ユーザ機器（ＵＥ）が送信元基地局（例えば、送信元進化型ＮｏｄｅＢ（ｅＮＢ）または送信元次世代ＮｏｄｅＢ（ｇＮＢ））またはサービング基地局（例えば、サービングｅＮＢまたはサービングｇＮＢ）からハンドオーバー命令メッセージを受信しないことである。従来のハンドオーバー手順は、通常、ＵＥからの測定報告によってトリガーされる。例えば、サービングセルの品質（例えば、信号強度および／またはサービス品質）が予め設定された閾値未満であり、また隣のセルの品質（例えば、信号強度および／またはサービス品質）が予め設定された閾値を超える場合、ＵＥは、受信された測定設定に基づいて、サービングセル下の送信元基地局に測定報告を送ることができる。測定報告を受信すると、送信元基地局はアドミッション制御のために複数のターゲット基地局（例えば、ｅＮＢまたはｇＮＢ）にハンドオーバー要求メッセージを送信し、ターゲット基地局からハンドオーバー確認応答メッセージを受信することができる。送信元基地局はＵＥがターゲットセルに接続できるように、ターゲット基地局の一つからＵＥにハンドオーバー確認メッセージでハンドオーバー命令メッセージを選択して送信してもよい。
【０００４】
全体的なハンドオーバー手順の成功は、いくつかの要因に依存する。要因の１つは、サービングセル品質が短時間内に急激に低下しないことであり、これは（例えば、Ｘ２／Ｘｎ／Ｘｘインターフェースのための）バックホールの遅延、ターゲット基地局の処理時間、およびシグナリング送信時間によって支配され得る。残念なことに、実世界の状況において、サービングセル品質は短い期間内に非常に迅速に低下し、ＵＥは、サービングセル品質が著しく低下する前に、ハンドオーバー命令メッセージを成功して受信するのに十分な時間を有さない可能性がある。結果として、ＵＥは、無線リンク障害を検出し得る。その結果、無線リンク障害の検出に応答して、ＵＥは、無線リソース制御（ＲＲＣ）接続再確立手順を開始し、これは、次に、かなり長いサービス中断時間をもたらす。より高い周波数帯域における大規模アンテナビームフォーミングを用いる次世代ワイヤレスネットワーク（例えば、第５世代（５Ｇ）ニューラジオ（ＮＲ）ネットワーク）において、サービングセル品質は、特にＵＥに狭いビームが提供される場合、さらに速く劣化し得る。ブロッケージは、ＮＲ展開において避けられないもう１つの問題である。
【０００５】
第３世代パートナーシップ計画（３ＧＰＰ）は、全体的なハンドオーバー手順の信頼性を改善するために、条件付きハンドオーバー（ＣＨＯ）の概念を導入した。多くの人は、ＣＨＯ手順を従来のハンドオーバー手順の補足手順として、ハンドオーバー失敗率の低減を助けるものとみなしている。ＣＨＯの導入に伴い、シグナリングオーバーヘッドの増加、未使用のＣＨＯ命令による無線リソースの無駄、ネットワーク制御性、および予測不可能なＵＥの挙動を含む、多くの潜在的課題が存在する。ＣＨＯ手順の詳細は、依然として、さらなる明確さを必要とする。
【０００６】
ＣＨＯ手順を適用すると、ＣＨＯの準備のための初期の測定報告および未使用のＣＨＯ命令の無駄のために、シグナリングオーバーヘッドが増加することがある。ＣＨＯ命令を準備するためには、送信元基地局に通知し、潜在的なターゲットセルを準備するための緩和された閾値を有する測定設定が必要である。同時に、従来のハンドオーバー（ＨＯ）手順をトリガーするために、より高い閾値を有する測定設定が依然として与えられてもよい。
【０００７】
未使用のＣＨＯ命令による無線リソースの無駄は、ＵＥが１つ以上の保存されたＣＨＯ命令を保持する時間、および専用ランダムアクセス（ＲＡ）リソースや新しいセル無線ネットワーク一時的識別子（Ｃ−ＲＮＴＩ）といった、対応するターゲット基地局が予約されたリソースを保持する必要がある時間に依存する。
【０００８】
ＣＨＯ手順の間に、ＵＥへのネットワークによる制御を行なわずに、ＵＥは、ハンドオーバーのためのトリガー条件が満たされるＣＨＯ命令を選択してもよい。ＵＥが選択されたＣＨＯ命令に基づいてハンドオーバー手順を実行する場合、ネットワークは、ＵＥからハンドオーバー手順の通知を受信しないことがある。結果として、ネットワークは、例えば、選択されたＣＨＯ命令に基づいて、ＵＥによって選択されたターゲット基地局への進行中のデータ転送のデータを、適時に転送しない場合がある。その結果、サービング基地局は、少なくとも一時的には１つ以上のＵＥとの無線通信の制御を失う可能性がある。
【０００９】
ＵＥの挙動の予測不可能性の観点から言うと、例えば、複数のＣＨＯ命令がそれらのトリガー条件を満たすとき、ＵＥはハンドオーバー手順のために、トリガーされたＣＨＯ命令の一つ、そして続いてターゲットセルを任意に選択することができる。しかしながら、送信元基地局は、トリガーされたＣＨＯ命令を実行しているＵＥまたはターゲットセルの選択を知らないかもしれない。その結果、送信元基地局はＵＥへのダウンリンクデータ送信をいつ停止するか、および／またはターゲット基地局へのデータ転送を開始するかの正確なタイミングを知ることができず、これは事前に知ることさえできない可能性がある。予測不可能なＵＥ挙動の別の態様は、ＣＨＯ手順が失敗した場合に何が起こるかである。
【発明の概要】
【発明が解決しようとする課題】
【００１０】
したがって、当技術分野では、条件付きハンドオーバー手順に関連付けられた上記の問題に対処する必要がある。
【課題を解決するための手段】
【００１１】
本開示は、条件付きハンドオーバー手順に関する。
【００１２】
本出願の第１の態様において、ユーザ機器（ＵＥ）のための条件付きハンドオーバー（ＣＨＯ）手順の方法が開示され、本方法は、送信元基地局からの１つ以上のＣＨＯ命令を、各々が１つ以上の候補ターゲットセルへの条件付きハンドオーバーのための少なくとも１つのトリガー条件を有する１つ以上のＣＨＯ命令を受信し、保存することと、ＵＥによって、１つ以上のＣＨＯ命令のうちのいずれかにおける少なくとも１つのトリガー条件が満たされているかどうかを評価することと、評価に基づいて、ＵＥによって、ＣＨＯ通知を送信元基地局に送信することと、を含み、１つ以上のＣＨＯ命令のうちの少なくとも１つは、退出条件、ターゲットセルの識別子（ＩＤ）、ライフタイマー、ＣＨＯ命令の優先度、ＣＨＯ命令のＩＤ、１つ以上の専用ランダムアクセスチャネル（ＲＡＣＨ）構成、または１つ以上の共通ＲＡＣＨ構成のうちの少なくとも１つを含む。
【００１３】
第１の態様の実装形態において、本方法がさらに、少なくとも１つのトリガー条件が満たされたときに、１つ以上の候補ターゲットセルに接続するために、１つ以上のＣＨＯ命令の少なくとも１つをＵＥによって実行する工程を含む。
【００１４】
第１の態様の別の実装形態において、本方法は、少なくとも１つのトリガー条件が満たされたとき、１つ以上のＣＨＯ命令の少なくとも１つを実行するか否かについて、送信元基地局からの命令を受信するために、ＵＥによって待機する工程をさらに含む。
【００１５】
第１の態様のさらに別の実装形態において、送信元基地局からの命令は、に対する前記１つ以上のＣＨＯ命令の前記少なくとも１つを実行することの確認、前記ＵＥに対する前記１つ以上のＣＨＯ命令の前記少なくとも１つを実行することの拒否、前記ＣＨＯ通知に示された前記１つ以上のＣＨＯ命令の前記少なくとも１つとは異なる、前記１つ以上のＣＨＯ命令の１つのＣＨＯ命令を実行することを前記ＵＥに指令するＣＨＯ実行命令、または、ターゲットセルに接続することを前記ＵＥに指令する従来のハンドオーバー命令であって、前記従来のハンドオーバー命令は、トリガー条件なしのハンドオーバー命令であり、前記１つ以上のＣＨＯ命令のいずれでもない命令、を含む
第１の態様のさらに別の実装形態において、送信元基地局から命令を受信すると、ＵＥは１つ以上のＣＨＯ命令のうちの１つを実行し、従来のハンドオーバー命令を実行し、ＣＨＯ実行命令が受信されると進行中のＣＨＯ命令の実行を停止し、ＣＨＯ実行命令が示す対応するＣＨＯ命令を実行し、または従来のハンドオーバー命令が受信されると進行中のＣＨＯ命令の実行を停止し、従来のハンドオーバー命令を実行する。
【００１６】
第１の態様のさらに別の実装形態において、ＵＥがＣＨＯ通知を送信元基地局に送信するとき、応答タイマーは、動作を開始する。
【００１７】
第１の態様のさらに別の実装形態において、応答タイマーが満了し、ＵＥが送信元基地局から命令を受信していないとき、ＵＥは、１つ以上の候補ターゲットセルに接続するために、前記１つ以上のＣＨＯ命令の少なくとも１つを実行する。
【００１８】
第１の態様のさらに別の実装形態において、退出状態が満たされる、ＣＨＯ手順が成功して実行される、ＣＨＯ通知に示される１つ以上のＣＨＯ命令のうちの少なくとも１つを実行する拒否が受信される、受信された従来のハンドオーバー命令が成功して実行される、またはライフタイマーが満了になるとき、１つ以上のＣＨＯ命令のうちの前記少なくとも１つは、無効またはリリースされる。
【００１９】
第１の態様のさらに別の実装形態において、１つ以上のＣＨＯ命令の少なくとも１つのトリガー条件のうちの１つより多い前記トリガー条件が満たされるとき、ＵＥは、ＣＨＯ命令の優先度に基づいて、１つ以上のＣＨＯ命令に優先順位を付け、最も高いＣＨＯ命令の優先度を有するＣＨＯ命令を実行する。
【００２０】
第１の態様のさらに別の実装形態において、ＣＨＯ通知に含まれるＣＨＯ命令のＩＤは、ＵＥによって実行されるＣＨＯ命令、または少なくとも１つのトリガー条件が満たされるＣＨＯ命令に対応する。
【００２１】
第１の態様のさらに別の実装形態において、１つ以上の候補ターゲットセルに成功して接続しなかったことに応答して、ＵＥは、無線リソース制御（ＲＲＣ）の接続の再確立手順を実行すること、別のトリガーされたＣＨＯ命令を実行すること、または送信元基地局にＣＨＯ失敗報告を送信することのうちの少なくとも１つを実行するように構成される。
【００２２】
本出願の第２の態様において、ユーザ機器（ＵＥ）は開示され、ＵＥは、１つ以上の非一時的なコンピュータ読み取り可能媒体であって、コンピュータ実行可能命令を有するコンピュータ読み取り可能媒体と、１つ以上の非一時的なコンピュータ読み取り可能媒体に結合され、コンピュータ実行可能命令を実行するように構成された少なくとも１つのプロセッサを備え、少なくとも１つのプロセッサは、前記コンピュータ実行可能な命令を実行して、送信元基地局から1つ以上のＣＨＯ命令を受信し、保存することであって、前記１つ以上のＣＨＯ命令は１つ以上の候補ターゲットセルへの条件付きハンドオーバーのための少なくとも１つのトリガー条件をそれぞれ有すること、１つ以上のＣＨＯ命令のいずれかにおいて、少なくとも１つのトリガー条件が満たされているかどうかを評価すること、および前記評価に基づいて送信元基地局へＣＨＯ通知を送信すること、を実行するように構成される。ここで、１つ以上の命令の少なくとも１つは、退出条件、ターゲットセルの識別（ＩＤ）、ライフタイマー、ＣＨＯ命令の優先度、ＣＨＯ命令のＩＤ、１つ以上の専用ランダムアクセスチャンネル（ＲＡＣＨ）構成、または１つ以上の共通ＲＡＣＨ構成、のうち少なくとも１つを含む。
【００２３】
第２の態様の実装形態において、少なくとも１つのプロセッサは、少なくとも１つのトリガー条件が満たされたときに、１つ以上のＣＨＯ命令の少なくとも１つを実行して、１つ以上の候補ターゲットセルに接続するように、コンピュータ実行可能命令を実行するようにさらに構成される。
【００２４】
第２の態様の別の実装形態において、少なくとも１つのプロセッサは、少なくとも１つのトリガー条件が満たされたときに、１つ以上のＣＨＯ命令の少なくとも１つを実行するか否かに基づいて、送信元基地局から命令を受信するのを待機するために、コンピュータ実行可能命令を実行するようにさらに構成される。
【００２５】
第２の態様のさらに別の実装形態において、送信元基地局からの命令は、１つ以上のＣＨＯ命令のうちの少なくとも１つを実行するための確認、ＵＥへの拒絶、１つ以上のＣＨＯ命令のうちの少なくとも１つを実行するための拒絶、ＣＨＯ通知に示された１つ以上のＣＨＯ命令のうちの少なくとも１つとは異なる１つ以上のＣＨＯ命令からＣＨＯ命令を実行するようにＵＥに命令するＣＨＯ実行命令、またはターゲットセルに接続するようにＵＥに命令する従来のハンドオーバー命令のトリガー条件なしのハンドオーバー命令であり、１つ以上のＣＨＯ命令ではない。
【００２６】
第２の態様のさらに別の実装形態において、送信元基地局から命令を受信すると、少なくとも１つのプロセッサは、コンピュータ実行可能命令を実行して、１つ以上のＣＨＯ命令のうちの１つを実行し、従来のハンドオーバー命令を実行し、ＣＨＯ実行命令が受信されたときに進行中のＣＨＯ命令を停止し、ＣＨＯ実行命令が示す対応するＣＨＯ命令を実行し、または従来のハンドオーバー命令が受信されたときに進行中のＣＨＯ命令の実行を停止し、従来のハンドオーバー命令を実行するようにさらに構成される。
【００２７】
第２の態様のさらに別の実装形態において、ＵＥがＣＨＯ通知を送信元基地局に送信するときに、応答タイマーは、動作を開始する。
【００２８】
第２の態様のさらに別の実装形態において、応答タイマーが終了し、ＵＥが送信元基地局から命令を受信していないとき、ＵＥは１つ以上のＣＨＯ命令の少なくとも１つを実行して、１つ以上の候補ターゲットセルに接続する。
【図面の簡単な説明】
【００２９】
例示的な開示の態様は、添付の図面と共に読まれるときに、以下の詳細な説明から最も良く理解される。様々な特徴は、一定の縮尺で描かれておらず、様々な特徴の寸法は、議論を明確にするために任意に増減されてよい。
【図１】図１は、本出願の例としての実装形態による、ＣＨＯ手順を示す図である。
【図２】図２は、本出願の例としての実装形態による、ＣＨＯ手順を実行する方法を示すフローチャートである。
【図３】図３は、本出願の例としての実装形態による、ＣＨＯ手順を実行する別の方法を示すフローチャートである。
【図４】図４は、本出願の例示的な実装形態に従った、短時間のＣＨＯ命令を用いたＣＨＯ手順を示す図である。
【図５】図５は、本出願の例示的な実装形態に従った、長時間のＣＨＯ命令を用いたＣＨＯ手順を示す図である。
【図６】図６は、本出願の例示的な実装形態に従った、ＣＨＯ命令に対する応答における、特定の測定オブジェクトの測定を中断するＣＨＯ手順を示す図である。
【図７】図７は、本出願の例示的な実装形態に従った、ＣＨＯ命令に対する応答における、ターゲットセルの測定内容を削除するＣＨＯ手順を示す図である。
【図８】図８は、本出願の例示的な実装形態に従った、ＣＨＯ実行命令を有するＣＨＯ手順を示す図である。
【図９】図９は、本出願の例示的な実装形態に従った、ＣＨＯ通知メッセージ、ＣＨＯ確認メッセージ、および応答タイマーを有するＣＨＯ手順を示す図である。
【図１０】図１０は、本出願の例示的な実装形態に従った、１つのＣＨＯ命令を実行するためのＣＨＯ通知メッセージ、他のＣＨＯ命令を実行するためのＣＨＯ確認メッセージ、および応答タイマーを有するＣＨＯ手順を示す図である。
【図１１】図１１は、本出願の例示的な実装形態に従った、１つのＣＨＯ指令を実行するためのＣＨＯ通知メッセージを有するが、ＣＨＯ確認メッセージおよび応答タイマーを有さないＣＨＯ手順を示す図である。
【図１２】図１２は、本出願の例示的な実装形態に従った、従来のＨＯ命令、ＣＨＯ通知、および応答タイマーを伴わない、従来のＨＯ手順に続くＣＨＯ手順を示す図である。
【図１３】図１３は、本出願の例示的な実装形態に従った、１つのＣＨＯ命令、ＣＨＯ拒否メッセージ、および応答タイマーを実行するためのＣＨＯ通知メッセージを有するＣＨＯ手順を示す図である。
【図１４】図１４は、本出願の例示的な実装形態に従った、１つのＣＨＯ命令を実行するためのＣＨＯ通知メッセージを有し、応答タイマーを有さないＣＨＯ手順を示す図である。
【図１５】図１５は、本出願の例示的な実装形態に従った、不成功のＣＨＯ通知メッセージ送達を有し、応答タイマーを有さないＣＨＯ手順を示す図である。
【図１６】図１６は、本出願の例示的な実装形態に従った、ＣＨＯ通知が無し、およびトリガーされたＣＨＯ命令の衝突が無しの場合の、従来のＨＯ手順に続くＣＨＯ手順を示す図である。
【図１７】図１７は、本出願の例示的な実装形態に従った、ＣＨＯ通知が無し、およびトリガーされたＣＨＯ命令との衝突がある場合の、従来のＨＯ手順に続くＣＨＯ手順を示す図である。
【図１８】図１８は、本出願の例示的な実装形態に従った、ＲＲＣ接続の再確立を介したＣＨＯ失敗の対応の手順を示す図である。
【図１９】図１９は、本出願の例示的な実装形態に従った、ＣＨＯ失敗報告を送信することによるＣＨＯ失敗の対応の手順を示す図である。
【図２０】図２０は、本出願の例示的な実装形態に従った、別のトリガーされたＣＨＯ命令を試みることによる、ＣＨＯ失敗の対応の手順を示す図である。
【図２１】図２１は、本出願の様々な態様に従った、無線通信のためのノードのブロック図を示す。
【発明を実施するための形態】
【００３０】
以下の説明は、本開示における例示的な態様に関連する特定の情報を含む。本開示における図面およびそれらの添付の詳細な説明は、単に例示的な態様を対象としている。しかし、本開示は、これらの例示的な態様のみに限定されるものではない。本開示の他の変形および態様は、当業者には想起されるのであろう。特に断らない限り、複数の図中の同様のまたは対応する要素は、同様のまたは対応する参照番号によって示され得る。さらに、本開示における図面および例示は、ほとんどの場合、一定の縮尺ではなく、実際の相対的な寸法に対応することを意図していない。
【００３１】
一貫性の目的および理解の容易さのために、同様の特徴は（いくつかの例では、図示されていないが）、例としての図では数字によって識別される。しかし、異なる実装形態における特徴は、他の点で異なっていてもよく、したがって、図面に示されるものに狭く限定されるものではない。
【００３２】
「１つの実装形態」、「一実装形態」、「例としての実装形態」、「様々な実装形態」、「いくつかの実装形態」、「本出願のいくつかの実装形態」などへの言及は、そのように記載された本出願の実装形態（単数または複数）が特定の特徴、構造、または特性を含み得ることを示し得るが、本出願のすべての可能な実装形態が特定の特徴、構造、または特性を必ずしも含むわけではない。さらに、語句「１つの実装形態において」、または「一例としての実装形態において」、「一実装形態」の繰り返しの使用は必ずしも、同じ実装形態を指すわけではないが、同じ実装形態を指す場合もある。さらに、「本出願」に接続する「実装形態」のような語句の任意の使用は、本出願のすべての実装形態が特定の特徴、構造、または特性を含んでいなければならないことを特徴とすることを意味せず、また、代わりに、「本出願の少なくともいくつかの実装形態」が、特定の特徴、構造または特性を含むことを意味することを理解されたい。用語「接続した」は介在する構成要素を介して直接的または間接的であるかにかかわらず、接続されることと定義されるが、物理的な接続に必ずしも限定されない。「備える（comprise）」という単語は、使用される場合、「含む(include)、が限定するわけではない、」を意味するが、このように記載された組合せ、群、系列および均等物におけるオープンエンド包括またはメンバーシップを具体的に示す。
【００３３】
さらに、説明および非限定の目的のために、機能エンティティ、技法、プロトコル、標準などの具体的な詳細が、説明される技術の理解を実現するために記載される。他の例では、不必要な説明により説明を不明瞭にしないように、周知の方法、技術、システム、アーキテクチャなどの詳細な説明は省略される。
【００３４】
本明細書中の用語「および／または」は、関連するオブジェクトを記述するための関連した関係のみであり、３つの関係が存在し得ることを表し、例えば、Ａおよび／またはＢは以下を表すことができる。Ａは単独で存在し、ＡおよびＢは同時に存在し、Ｂは単独で存在する。さらに、本明細書中で使用される文字「／」は、前者および後者の関連する物体が「または」関係にあることを一般的に表す。
【００３５】
さらに、「Ａ、Ｂ、またはＣのうちの少なくとも１つ」、「Ａ、Ｂ、およびＣのうちの少なくとも１つ」、および「Ａ、Ｂ、Ｃ、またはすべてのそれらの組み合わせ」といった組み合わせは、Ａ、Ｂ、および／またはＣの全ての組み合わせを含み、Ａ、複数のＢ、または複数のＣを含んでもよい。特に、「Ａ、Ｂ、またはＣのうちの少なくとも１つ」、「Ａ、Ｂ、およびＣのうちの少なくとも１つ」および「Ａ、Ｂ、Ｃ、またはすべてのそれらの組み合わせ」といった組み合わせは、Ａのみ、Ｂのみ、Ｃのみ、ＡおよびＢ、ＡおよびＣ、ＢおよびＣ、またはＡおよびＢおよびＣであってよく、すべてのそのような組み合わせは、Ａ、ＢまたはＣの１つ以上の構成を含んでよい。全ての構造的および機能的に相当する種々の形態の要素は、当業者に既知のまたは後に知られる本開示を通して記述され、参照により本明細書に明示的に組み込まれ、特許請求の範囲に包含されることが意図される。
【００３６】
当業者は、本開示に記載されている任意のネットワーク機能またはアルゴリズムがハードウェア、ソフトウェア、またはソフトウェアとハードウェアとの組み合わせによって実装されてもよいことを直ちに理解するだろう。説明される機能は、ソフトウェア、ハードウェア、ファームウェア、またはこれらの任意の組み合わせであるモジュールに対応することができる。ソフトウェアの実装は、例えばメモリまたは他の種類の記憶装置といったコンピュータ読み取り可能媒体に記憶されたコンピュータ実行可能命令を備えてもよい。例えば、通信処理能力を有する１つ以上のマイクロプロセッサまたは汎用コンピュータは、対応する実行可能命令でプログラム化され、記載されているネットワーク機能またはアルゴリズムを実行してもよい。上記マイクロプロセッサまたは汎用コンピュータは特定用途向け集積回路（ＡＳＩＣ）、プログラム可能な論理アレイ、および／または１つ以上のデジタルシグナルプロセッサ（ＤＳＰｓ）を用いて、形成されてよい。本明細書に記載する例としての実装形態のいくつかは、コンピュータハードウェア上にインストールされ、実行するソフトウェアに向けられているが、それにもかかわらず、ファームウェアとして、またはハードウェアまたはハードウェアとソフトウェアの組合せとして実装される代替の例としての実装形態は、本開示の範囲内である。
【００３７】
コンピュータ読み取り可能媒体は、ランダムアクセスメモリ（ＲＡＭ）、読み取り専用メモリ（ＲＯＭ）、消去可能プログラム可能な読み取り専用メモリ（ＥＰＲＯＭ）、電気的消去可能プログラム可能な読み取り専用メモリ（ＥＥＰＲＯＭ（登録商標））、フラッシュメモリ、コンパクトディスク読み取り専用メモリ（ＣＤ  ＲＯＭ）、磁気カセット、磁気テープ、磁気ディスク記憶装置、またはコンピュータ読み取り可能命令を記憶することができる任意の他の同等の媒体が挙げられるが、これらに限定されない。
【００３８】
無線通信ネットワークアーキテクチャ（例えば、ロングタームエボリューション（ＬＴＥ）システム、ＬＴＥ−Ａｄｖａｎｃｅｄ（ＬＴＥ−Ａ）システム、またはＬＴＥ−Ａｄｖａｎｃｅｄ  Ｐｒｏシステム）は、典型的にネットワークに向かう接続を提供する少なくとも１つの基地局、少なくとも１つのＵＥ、および１つ以上の任意選択のネットワーク要素を含む。ＵＥは、基地局によって確立された無線アクセスネットワーク（ＲＡＮ）によって、ネットワーク（例えば、ＣＮ、進化型パケットコア（ＥＰＣ）ネットワーク、進化型ユニバーサル地上無線アクセスネットワーク（Ｅ−ＵＴＲＡＮ）、次世代コア（ＮＧＣ）、またはインターネット）と通信する。
【００３９】
なお、本出願において、ＵＥは、移動局、携帯端末または携帯機器、ユーザ通信無線端末が挙げられるが、これらに限定されないことに留意されたい。例えば、ＵＥは、携帯無線装置であってもよく、携帯無線装置は、無線通信能力を有する携帯電話、タブレット、ウェアラブルデバイス、センサ、または個人用デジタル補助装置（ＰＤＡ）が挙げられるが、これらに限定されない。ＵＥは、無線アクセスネットワークにおける１つ以上のセルと、エアーインターフェース上で、信号を送受信するよう構成されている。
【００４０】
基地局は、ユニバーサルモバイルテレコミュニケーションシステム（ＵＭＴＳ）におけるようなノードＢ（ＮＢ）、ＬＴＥ−Ａにおけるような進化型ノードＢ（ｅＮＢ）、ＵＭＴＳにおけるような無線ネットワークコントローラ（ＲＮＣ）、グローバルシステムのためのモバイルコミュニケーション（ＧＳＭ（登録商標））／ＧＳＭ（登録商標）  ＥＤＧＥ無線アクセスネットワーク（ＧＥＲＡＮ）におけるような基地局コントローラ（ＢＳＣ）、５ＧＣに関連するＥ−ＵＴＲＡ基地局におけるようなｎｇ−ｅＮＢ、５Ｇアクセスネットワーク（５Ｇ−ＡＮ）におけるような次世代ノードＢ（ｇＮＢ）、およびセル内の無線通信を制御し、無線リソースを管理することができる任意の他の装置を含むことができるが、これらに限定されない。基地局は、ネットワークへの無線インターフェースを介して１つ以上のＵＥにサービスを提供するように接続し得る。
【００４１】
基地局は、以下のラジオアクセス技術（ＲＡＴ）である、マイクロ波アクセス（ＷｉＭＡＸ）、ＧＳＭ（登録商標）（しばしば２Ｇと呼ばれる）、ＧＥＲＡＮ、一般パケット無線サービス（ＧＲＰＳ）、基本ワイドバンドコードデビジョンマルチプルアクセス（Ｗ−ＣＤＭＡ）、高速パケットアクセス（ＨＳＰＡ）、ＬＴＥ、ＬＴＥ−Ａ、ｅＬＴＥ、ＮＲ（しばしば５Ｇと呼ばれる）、およびＬＴＥ−Ａプロのうちの少なくとも１つに従って通信サービスを提供するように構成され得る。しかし、本出願の範囲は、上述のプロトコルに限定すべきではない。
【００４２】
基地局は、無線アクセスネットワークを形成する複数のセルを使用して、特定の地理的エリアに無線範囲を提供するように動作可能である。基地局は、セルの動作をサポートする。各セルは、その無線範囲内の少なくとも１つのＵＥにサービスを提供するように動作可能である。より具体的には、各セル（しばしば、サービングセルと呼ばれる）は、その無線範囲内の１つ以上のＵＥを提供するサービスを提供する（例えば、各セルは、ダウンリンクをスケジュールし、オプションで、ダウンリンクおよびオプションでアップリンクパケット送信のために、その無線範囲内の少なくとも１つのＵＥにリソースをアップリンクする）。基地局は、複数のセルによって無線通信システム内の１つ以上のＵＥと通信することができる。セルは、近接サービス（ＰｒｏＳｅ）をサポートするために、サイドリンク（ＳＬ）リソースを割り当ててもよい。各セルは、他のセルと重複する範囲領域を有する可能性がある。ＭＲ−ＤＣの件において、ＭＣＧまたはＳＣＧのプライマリセルをＳｐＣｅｌｌと呼ぶことがある。ＰＣｅｌｌは、ＭＣＧのＳｐＣｅｌｌを示してもよい。ＰＳＣｅｌｌは、ＳＣＧのＳｐＣｅｌｌを示してもよい。ＭＣＧは、ＳｐＣｅｌｌおよび任意の１つ以上の二次セル（ＳＣｅｌｌ）を備え、ＭＮに関連付けられた群のサービングセルを意味する。ＳＣＧは、ＳｐＣｅｌｌおよび任意に１つ以上のＳＣｅｌｌを備え、ＳＮに関連付けられた群のサービングセルを意味する。
【００４３】
上述したように、ＮＲのためのフレーム構造は、高信頼性、高データ速度および低遅延要件を満たしつつ、強化されたモバイルブロードバンド（ｅＭＢＢ）、大規模マシンタイプ通信（ｍＭＴＣ）、超信頼性通信および低遅延の通信（ＵＲＬＬＣ）などの種々の次世代（例えば、５Ｇ）通信要件に適応するための柔軟な構成をサポートすることである。３ＧＰＰにおいて合意された直交周波数分割多重化（ＯＦＤＭ）技術は、ＮＲ波形のための基準として機能し得る。適応可能なサブキャリアの間隔、チャンネル帯域幅、およびサイクリックプレフィックス（ＣＰ）といったスケーラブルなＯＦＤＭネメロロジも使用することができる。さらに、ＮＲには（１）低密度パリティ検査（ＬＤＰＣ）符号および（２）ポーラ符号の２つの符号化方式が考えられる。符号化スキーム適応は、チャンネル条件および／またはサービスアプリケーションに基づいて構成され得る。
【００４４】
さらに、単一のＮＲフレームの送信時間の間隔ＴＸにおいて、ダウンリンク（ＤＬ）送信データ、ガード期間、およびアップリンク（ＵＬ）送信データが、少なくとも含まれるべきであり、ＤＬ送信データ、ガード期間、およびＵＬ送信データのそれぞれの部分も、また、例えば、ＮＲのネットワークダイナミクスに基づいて設定可能であるべきであることも考慮される。さらに、ＰｒｏＳｅサービスをサポートするために、サイドリンクリソースをＮＲフレーム内に提供することもできる。
【００４５】
図１は、本出願の実装形態による、ＣＨＯ手順を示す図である。図の１００は、ＵＥ１０２、送信元基地局（例えばｇＮＢ）１０４、ターゲット基地局（例えばｇＮＢ）１０６、ターゲット基地局（例えばｇＮＢ）１０８を含む。なお、図１および続く図における送信元基地局およびターゲット基地局は次世代ＮｏｄｅＢｓ（ｇＮＢｓ）として説明されているが、送信元基地局およびターゲット基地局は、本実施形態のいくつかにおいて、他のタイプの基地局の任意の組み合わせであってもよい。例えば、送信元および／またはターゲットの基地局のいずれかは、本実施形態のいくつかにおいて、進化したノードＢ（ｅＮＢ）であり得る。すなわち、本実施形態のいくつかにおいて、送信元基地局１０４は、ｅＮＢであってもよく、一方、ターゲット基地局１０６はｇＮＢ（またはｅＮＢ）であってもよく、ターゲット基地局１０８はｅＮＢ（またはｇＮＢ）であってもよい。逆に、送信元基地局１０４は、ｇＮＢであってもよく、一方、ターゲット基地局１０６は、ｅＮＢ（またはｇＮＢ）であってもよく、ターゲット基地局１０８はｇＮＢ（またはｅＮＢ）であってもよい。
【００４６】
図の１００に示されるように、アクション１１０において、送信元基地局１０４は、ＵＥ１０２に測定構成を提供することができ、ここで、測定構成は、ハンドオーバーのための潜在的なターゲットセルを決定するための早期の測定報告をトリガーするために、緩和された閾値を含むことができる。例えば、緩和された閾値は、測定報告をトリガーし得る測定イベントについての隣のセルについてのより低い閾値、および／またはサービングセルについてのより高い閾値であり得る。
【００４７】
アクション１１２において、ＵＥ１０２は、測定イベント基準が満たされたとき（例えば、隣のセルに対して設定されたより低い閾値によってイベントがトリガーされたとき）、測定報告を送信元基地局１０４に送信することができる。アクション１１４において、ＵＥ１０２は、例えば、サービングセルまたはプライマリセルに対して設定されたより高い閾値によって、別のイベントがトリガーされた場合（例えば、サービングセル品質が、予め設定された閾値よりも低下した場合、またはプライマリセルの品質が予め設定された閾値よりも低下した場合）等、別の測定イベント基準が満たされた場合、別の測定レポートを送信元基地局１０４に送ることができる。
【００４８】
アクション１１６において、ＵＥ１０２から測定報告を受信した後、送信元基地局１０４は、アクション１１６において、ＣＨＯ決定を行うことができる。その後、送信元基地局１０４は、対応するハンドオーバー要求メッセージを、潜在的なターゲット基地局の各々に送信することができる。図の１００において、送信元基地局１０４は、アクション１１８では、ハンドオーバー要求メッセージ＃１をターゲット基地局１０６に送信することができる。送信元基地局１０４はまた、アクション１２０において、ハンドオーバー要求メッセージ＃２をターゲット基地局１０８に送信することができる。
【００４９】
アクション１２２および１２４において、それぞれ、ターゲット基地局１０６および１０８は、アドミッション制御手順を実行してよい。その後、アクション１２６において、ターゲット基地局１０６は、ターゲット基地局１０６が送信元基地局１０４からのハンドオーバー要求を受け付けると、ハンドオーバー承認応答メッセージ＃１を送信元基地局１０４に送信することができる。同様に、アクション１２８において、ターゲット基地局１０８は、ターゲット基地局１０８が送信元基地局１０４からのハンドオーバー要求を受け付けると、ハンドオーバー承認応答メッセージ＃２を送信元基地局１０４に送信することができる。その後、送信元基地局１０４は、アクション１３０において、ＣＨＯ命令＃１（またはＣＨＯ構成）を、ハンドオーバー承認応答メッセージ＃１の応答としてＵＥ１０２へ送信してもよく、アクション１３２において、ＣＨＯ命令＃２（またはＣＨＯ構成）を、ハンドオーバー承認応答メッセージ＃２の応答として、送信してもよい。ＣＨＯ命令の各々は、ＣＨＯ手順のための少なくとも１つのトリガー条件を含んでよい。
【００５０】
ＣＨＯ命令メッセージを受信した後、アクション１３４において、ＵＥ１０２は、それの現在のＲＲＣ構成動作を継続しながら、ＣＨＯ命令メッセージに対するトリガー条件が満たされているかどうかを決定するために、トリガー条件の評価を開始することができる。ＵＥ１０２は、トリガー条件が満たされると決定した場合、ＵＥ１０２は、対応するＣＨＯ命令を適用して、ターゲットセル（例えば、ターゲット基地局１０６または１０８）に接続することができる。
【００５１】
本実施形態のいくつかの態様において、アドミッション制御の後、ターゲット基地局はコンテナ内のＣＨＯ命令（またはＣＨＯ構成）を用いるハンドオーバー承認応答を送信元基地局に送信することができる。次いで、送信元基地局および／またはターゲット基地局は、ＣＨＯ命令をＵＥに送信することができる。ＣＨＯ命令は、トリガー条件、退出条件、ターゲットセルのＩＤ、ターゲットセルのキャリア周波数（例えば、ＮＲ−絶対無線周波数チャンネル番号（ＡＲＦＣＮ））、ＣＨＯのライフタイム、ハンドオーバー優先度（すなわち、ＨＯ優先度、またはＣＨＯ命令の優先度）、ＣＨＯ命令のＩＤ、専用ランダムアクセスチャンネル（ＲＡＣＨ）構成、および共通ＲＡＣＨ構成のうちの少なくとも１つを含み得る（例えば、コンテンションフリーランダムアクセスのためのリソースを任意に提供するためである）。なお、本実施形態のいくつかの態様において、ＣＨＯ命令における情報が送信元基地局によって提供されてもよいが、本実施形態の他の態様において、ＣＨＯ命令における情報がターゲット基地局によって提供されてもよい。本実施形態のさらにいくつかの実装形態において、ＣＨＯ命令のいくつかの情報（例えば、トリガー条件、ＣＨＯ命令のＩＤ、ハンドオーバーの優先度など）は、送信元基地局によって提供されてもよく、一方、ＣＨＯ命令の他の情報（例えば、ターゲットセルのＩＤ、ターゲットセルのキャリア周波数（例えば、ターゲットセルのＮＲ−絶対無線周波数チャンネル番号（ＡＲＦＣＮ）など）、ＣＨＯのライフタイム、ＣＨＯの専用ランダムアクセスチャネル（ＲＡＣＨ）構成、共通ＲＡＣＨ構成など）はターゲット基地局によって提供されてもよい。
【００５２】
本出願の一実装形態によれば、トリガー条件を使用して、対応するＣＨＯ命令を実行することができるかどうかを決定することができる。ＵＥは、有効のままである各ＣＨＯ命令のトリガー条件を連続的に評価することができる。トリガー条件が満たされる場合（例えば、ターゲットセル信号品質が、時間ＴＴＴ（time−to−trigger）内に所定の閾値を超える場合）、ＵＥは（例えば、事前定義された構成に基づいて、ＮＷ構成に基づいて、など）、以下の選択肢のうちの１つから選択することができる。
（１）ＵＥは、送信元基地局への通知なしに、対応するＣＨＯ命令を直接実行することができる。
（２）ＵＥは、対応するＣＨＯ命令を直接実行し、送信元基地局にトリガーされたＣＨＯ命令について通知することができ、その結果、送信元基地局は、ＵＥへのダウンリンクデータ送信を停止し（例えば、ＣＨＯ命令がメイクビフォーブレイク機能を構成しない場合）、トリガーされたＣＨＯ命令に応答してターゲット基地局へのデータ転送を開始することができる。この選択肢は、ネットワーク制御性を強化することができる。本実施形態のいくつかにおいて、ＵＥは、ＣＨＯ命令の実行を開始し、選択されたターゲット基地局に対して同期およびランダムアクセス（ＲＡ）手順を実行した後、ターゲット基地局（および送信元基地局）に表示メッセージを送信することができる。この表示メッセージを受信した後、送信元基地局は、シーケンス番号（ＳＮ）状態転送およびデータ転送（例えば、ターゲット基地局へ）を実行することができる。
（３）ＵＥは、最初に、トリガーされたＣＨＯ命令について送信元基地局に通知し、トリガーされたＣＨＯ命令を実行する前に、設定された、または事前に定義された応答タイマーが終了するのを待つことができる。応答タイマーが動作している間、送信元基地局は、トリガーされたＣＨＯ命令の実行を許可するか、ＵＥに異なるハンドオーバー命令を送信するか、またはトリガーされたＣＨＯ命令の実行を拒否することができる。しかしながら、応答タイマーが終了しており、送信元基地局からの応答がまだ無い場合、ＵＥは応答が受信され得ないように、サービングセル品質が急速に低下したと見なすことができる。この場合、ＵＥはトリガーされたＣＨＯ命令を実行できる。応答タイマーは、送信元基地局、ターゲット基地局によって構成されてもよく、または事前に定義されてもよいことに留意されたい。また、各ＣＨＯ命令は、対応する応答タイマーに関連付けられてもよい。
【００５３】
図２は、本出願の例としての実施形態による、ＣＨＯ手順を実行するプロセス／方法２００を示すフローチャートである。本実施形態のいくつかにおいて、プロセス２００は、ＵＥによって実行され得る（例えば、ＵＥの１つ以上のプロセッサによって実行され得る）。本実施形態のいくつかにおいて、プロセス２００は、アクション２１０において、１つ以上のＣＨＯ命令を受信し、保存することによって開始することができる。ＣＨＯ命令は、例えば、送信元基地局（例えば、ｇＮＢまたはｅＮＢ）から受信することができ、ＵＥ（例えば、ＵＥの１つ以上のローカルメモリ）に保存することができる。ＣＨＯ命令の各々は、ターゲットセル（例えば、ターゲットｇＮＢまたはターゲットｅＮＢに関連付けられた）への条件付きハンドオーバーのための１つ以上のトリガー条件を含んでよい。
【００５４】
アクション２２０において、プロセス２００は、保存された各ＣＨＯ命令に関連付けられたトリガー条件の評価を開始してよい。すなわち、本実施形態のいくつかにおいて、プロセス２００は、ＣＨＯ命令の各々に関連付けられたトリガー条件のいずれかが合う（または満たされる）か、どうかを連続的に決定し得る。例えば、ターゲットセルのためのトリガー条件はある（または事前に定義された）時間内に、ある（または事前に定義された）閾値を超えるターゲットセルの信号品質であってよい。したがって、プロセス２００は、ターゲットセルの信号品質が事前に定義された時間内に、事前に定義された閾値を超えたかどうかを連続的に決定してもよい。
【００５５】
プロセス２００がトリガー条件のうちの少なくとも１つが満たされたと決定するとき、プロセス２００は、アクション２３０において、ＣＨＯ命令に関連付けられた１つ以上の（候補）ターゲットセルに接続するために、トリガー条件に関連付けられたＣＨＯ命令を実行してよい。本実施形態のいくつかにおいて、プロセス２００は、ＣＨＯ通知を送信元基地局に送信し、送信元基地局からのＣＨＯ命令を実行する指令を待機することができ（図３を参照して後述するように）、他の実施形態において、プロセス２００は、ＣＨＯ命令の実行後に、送信元基地局にＣＨＯ通知を送信することができる。
【００５６】
図３は、本出願の他の例としての実施形態による、ＣＨＯ手順を実行するプロセス／方法３００を示すフローチャートである。本実施形態のいくつかにおいて、プロセス３００は、ＵＥによって実行され得る（例えば、ＵＥの１つ以上のプロセッサによって実行され得る）。プロセス３００は、本実施形態のいくつかにおいて、（図２を参照して）最初の２つのアクション２１０および２２０が実行された後に開始され得る。すなわち、プロセス３００は、送信元基地局から、ターゲットセルへの条件付きハンドオーバーのための１つ以上のトリガー条件を含むことができる１つ以上のＣＨＯ命令を最初に（アクション３１０の前に）受信することができる。
【００５７】
ＣＨＯ命令に関連付けられた少なくとも１つのトリガー条件が合う（または満たされる）と決定した後、プロセス３００は、アクション３１０において、ＣＨＯ命令に関連付けられたトリガー条件が満たされたことを送信元基地局に知らせる通知を送信元基地局に送信することができる。本実施形態のいくつかにおいて、通知を送信元基地局に送信すると、プロセス３００は、ＣＨＯ命令に関連付けられた応答タイマーを開始することができる。本実施形態のいくつかの態様において、各ＣＨＯ命令は、（例えば他の応答タイマーと同じ値、または他の応答タイマーと異なる値を有する）別個の応答タイマーに関連付けられてもよい。本実施形態のいくつかにおいて、応答タイマーの値は、送信元基地局および／またはターゲット基地局から受信され得る（例えば、値はＣＨＯ命令に含まれ得る）。次いで、プロセス３００は、アクション３２０において、ＣＨＯ命令に関連付けられた応答タイマーが終了したかどうかを決定することができる。上述のように、応答タイマーは、ＮＷ構成に基づいて、および／または事前に定義された状態に基づいて、事前に定義されていてもよい。応答タイマーは、本実施形態のいくつかにおいて、送信元基地局またはターゲット基地局によって設定することができる。さらに、ＣＨＯ命令ごとに、本実施形態のいくつかにおいて、異なる応答タイマーを設定（または定義）することができる。
【００５８】
上述したように、本実施形態のいくつかにおいて、応答タイマーが動作している間に、送信元基地局は、トリガーされたＣＨＯ命令の実行を許可するか、ＵＥに異なるハンドオーバー命令を送信するか、またはトリガーされたＣＨＯ命令の実行を拒否することができる。
【００５９】
引き続き、図３を参照すると、プロセス３００が、アクション３２０において、応答タイマーが終了した（および送信元基地局からの応答がまだない）と決定した場合、プロセス３００は、アクション３４０において、ＣＨＯ命令に関連する１つ以上の（候補）ターゲットセルに接続するために、満たされるトリガー条件に関連付けられたＣＨＯ命令を実行し得る。なぜなら、例えば、プロセスは、送信元基地局に関連付けられたサービングセル品質が応答を受信することができないほど急激に低下した可能性があることを決定することができるからである。次いで、プロセスは終了してよい。
【００６０】
プロセス３００がアクション３２０において、応答タイマーがまだ終了していないと決定するとき、プロセスは、アクション３３０において、ＣＨＯ命令の実行のための許可が送信元基地局から受信されるかどうかを決定することができる。プロセス３００は、許可が受信されたと決定するとき、プロセスは、アクション３４０において、満たされたトリガー条件に関連付けられたＣＨＯ指令を実行することができる。さもなければ、プロセス３００は、許可が受信されなかった（および応答タイマーがまだアクティブであり、実行中である）と決定したとき、プロセスは、アクション３５０において、送信元基地局から任意の他のタイプの命令が受信されたかどうかを決定し得る。
【００６１】
プロセスは、他のタイプの指令が受信されていないと決定したとき、プロセス３００は、応答タイマーの終了を決定するために、アクション３２０にループバックしてよい。一方、プロセスがアクション３５０において、送信元基地局から指令を受信したと決定したとき、プロセスは、アクション３６０において、本実施形態のいくつかでは、受信された指令を実行する。本実施形態のいくつかにおいて、指令は、ＵＥへの１つ以上のＣＨＯ命令のうちの少なくとも１つを実行することを拒否する命令、１つ以上のＣＨＯ命令からＣＨＯ命令を実行するようにＵＥに指示する実行命令（例えば、ＣＨＯ通知に示される１つ以上のＣＨＯ命令とは異なるＣＨＯ命令）、ターゲットセルに接続するようにＵＥに指示する従来のハンドオーバー命令などを含むことができるが、これらに限定されない。例えば、上述したように、ＵＥから通知を受信した後、応答タイマーが有効に動作している間、送信元基地局は、異なるハンドオーバー命令をＵＥに送信することができる。したがって、プロセス３００は、アクション３６０において、送信元基地局から受信される異なるハンドオーバー命令を実行することができる。次いで、プロセスは終了してよい。
【００６２】
本出願の一実装形態によれば、退出条件を使用して、ＣＨＯ命令およびＣＨＯ命令に関連付けられた無線リソースが無効であるか、リリースされ得るかどうかを決定してもよい。退出条件が存在する場合、ＵＥは、各ＣＨＯ命令に関連付けられた退出条件を連続的に評価してもよい。退出条件が満たされるとき（例えば、ターゲットセル信号品質が、時間ＴＴＴ内に所定の閾値未満となる）、ＵＥは、対応するＣＨＯ命令が無効であると見なし、ＣＨＯ命令に関連付けられた無線リソースを開放してもよい。一旦、ＣＨＯ命令が無効になると、ＵＥは次のオプション（たとえば、事前に定義された構成、ＮＷ構成などに基づいて）のいずれかを選択できる。
（１）一旦、ＵＥによってＣＨＯ命令がリリースされると、ＵＥは、リリースされたＣＨＯ命令について送信元基地局に通知することができる。通知に応答して、送信元基地局は関連するターゲット基地局に、ＵＥのための予約されたリソース（例えば、専用ＲＡリソース（または専用ＰＲＡＣＨの場合）、ＵＥがターゲットセルに接続するときに必要とされる新しいＣ−ＲＮＴＩなど）をリリースするように通知することができる。
（２）一旦、ＵＥによってＣＨＯ指令がリリースされると、ＵＥは、送信元基地局に無効なＣＨＯ指令を通知しなくてもよい。ＵＥは、測定構成がＣＨＯの有効性とは無関係であり、対応する基地局の品質、または対応する隣のセルの品質を測定し続けることが要求され得ることに留意されたい。
【００６３】
本出願の一実施形態によれば、ターゲットセルのＩＤを使用して、どのセルがハンドオーバーのためのターゲットセルであるかを示してもよい。
【００６４】
本出願の一実施形態によれば、キャリア周波数（例えば、ＮＲ−ＡＲＦＣＮ）は、ターゲットセル内でＵＥによって使用されるべきキャリア周波数を示すために使用され得る。アップリンク帯域幅およびダウンリンク帯域幅、必要なシステム情報（ＳＩ）などといった他の関連情報も、ＣＨＯ命令に含めることができる。
【００６５】
本出願の一実装形態によれば、ライフタイマーは、対応するＣＨＯ命令が有効のままである時間を示すために、ＣＨＯ命令に含まれ得る。ＣＨＯ命令のライフタイマーが存在する場合、ＵＥは、ライフタイマーが終了するまで、ＣＨＯ命令が有効であると見なすことができる。ライフタイマーは、ＵＥが対応するＣＨＯ命令を受信したときに開始することができる。一実装形態において、ライフタイマーおよび退出条件は、共存してもよい。例えば、本実装形態のいくつかにおいて、ＣＨＯ命令の退出条件が満たされているが、ＣＨＯ命令のライフタイマーがまだ動作中である場合、ＣＨＯ命令は無効であると見なされ、リリースされ得る。各ＣＨＯ命令は、特定のライフタイマーに関連付けられてもよく、ライフタイマーは、独立して動作してもよいことに留意されたい。ライフタイマーが存在しないか、または無限に設定されている場合、ハンドオーバー手順が実行されるまで、ＣＨＯ命令は常に有効であろう（例えば、ＣＨＯ命令は、ＨＯ手順の後にリリースされ得る）。
【００６６】
本出願の一実装形態によれば、ハンドオーバー優先度は、ＣＨＯ命令の優先度を示すために使用され得る。例えば、複数のＣＨＯ命令がそれらのトリガー条件を満たすとき、本実施形態のいくつかにおいて、最も高いＣＨＯ命令の優先度（本開示において簡潔にするために「ＨＯ優先度」とも呼ばれる）を有するＣＨＯ命令は最初に実行されてもよい。本実施形態のいくつかの態様において、同じＨＯ優先度を有するトリガーされたＣＨＯ命令が１つより多く存在する場合、（例えば、ＲＳＲＰレベルにおいて）最高のターゲットセル信号品質を有するＣＨＯ命令は、第１の優先度を有し得る（すなわち、最初に実行され得る）。あるいは、同じＨＯ優先度を有する１つより多いトリガーされたＣＨＯ命令が存在する場合、本実施形態のいくつかにおいて、ＵＥは、実行するＣＨＯ命令の１つを選択してもよい。本実施形態の一態様において、ＣＨＯ命令のＨＯ優先度が存在しないとき、ＣＨＯ命令のＨＯ優先度はデフォルト優先度に設定することができ、またはＨＯ優先度を１つ以上の事前に定義された規則に基づいて設定してもよい。
【００６７】
本出願の一実装形態によれば、ＣＨＯ命令のＩＤは、受信されたＣＨＯ命令の識別として使用され得る。ＵＥは、送信元基地局から複数のＣＨＯ命令（複数の候補ターゲット基地局のための）を受信することができる。ＣＨＯ命令のトリガー／実行に関して、ＵＥと送信元基地局との間の通知を簡素化するために、ＵＥは、関連するシグナリングのためにＣＨＯ命令のＩＤを使用してもよい。
【００６８】
本出願の一実装形態によれば、コンテンションフリーランダムアクセスのための専用ＲＡリソース（または専用ＰＲＡＣＨの場合）を示すために、専用ＲＡＣＨ構成を使用することができる。ＵＥがターゲットセルにアクセスするために専用ＲＡリソース（または専用ＰＲＡＣＨの場合）を使用しない場合、ＵＥは、共通ＲＡＣＨ構成によって示される共通ＲＡリソース（または共通ＰＲＡＣＨの場合）を使用してフォールバックすることができる。
【００６９】
本出願の一実装形態によれば、共通ＲＡＣＨ構成は、コンテンションベースのランダムアクセスのための共通ＲＡＣＨリソース（または共通ＰＲＡＣＨの場合）を示すために使用され得る。
【００７０】
図４および図５における以下の実装形態は、短時間のＣＨＯ要求および長時間のＣＨＯ要求を伴う例示的なＣＨＯ手順を示す。本実施形態のいくつかにおいて、ＵＥの挙動に基づいて、送信元基地局が短時間または長時間のＣＨＯ命令（またはＣＨＯ構成）のいずれかを要求するために、ＣＨＯ命令要求をターゲット基地局に送信してもよい。ターゲット基地局は、次いで、ＣＨＯ命令に含まれるべきパラメータおよび／または構成を選択することができる。
【００７１】
図４を参照すると、図４は、本出願の例示的な実装形態に従った、短時間のＣＨＯ命令を伴うＣＨＯ手順を示す図である。図の４００は、ＵＥ４０２、送信元基地局（例えば、ｇＮＢ）４０４、ターゲット基地局（例えば、ｇＮＢ）４０６、ターゲット基地局（例えば、ｇＮＢ）４０８を含む。
【００７２】
図の４００に示すように、アクション４１０において、送信元基地局４０４は、ＵＥ４０２に測定構成を提供することができる。測定構成は、ハンドオーバーのための潜在的なターゲットセルを決定するための早期測定報告をトリガーするための緩和された閾値を含むことができる。測定構成のいくつかは、ＣＨＯ条件の初期測定報告のための緩和された閾値に関連付けられるが、一方で、他の構成は、従来のＨＯ条件についての通常の閾値に関連付けられる。例えば、緩和された閾値は、測定報告をトリガーし得る測定イベントについての隣のセルについてのより低い閾値、および／またはサービングセルについてのより高い閾値であり得る。
【００７３】
送信元基地局４０４は、アクション４１２および４１４において、ＨＯのためのいくつかの潜在的ターゲットセルを示す、いくつかの早期測定報告を受信し得る。アクション４１２において、ＵＥ４０２は、測定イベント基準が満たされたとき（例えば、隣のセルに対して設定された、より低い閾値によってイベントがトリガーされたとき）、測定レポートを送信元基地局４０４に送ることができる。アクション４１４において、ＵＥ４０２は、別の測定イベントの基準が合うとき、別の測定報告を送信元基地局４０４に送信することができる。例えば、別のイベントがサービングセルのために設定された、より高い閾値によってトリガーされるときなどである（例えば、サービングセル品質が、事前に構成された閾値よりも低いとき）。
【００７４】
ＵＥ移動度の状態、ＵＥターゲティングサービス、通信量の負荷条件、送信元基地局の範囲および他の統計情報といった様々な要因を考慮することによって、アクション４１６において、ＣＨＯ決定を行った後、送信元基地局４０４は、ＣＨＯ命令要求（またはＣＨＯ要求）を対応するターゲット基地局に送信することができる。各ＣＨＯ要求に対して、送信元基地局は、要求されたＣＨＯ命令が長時間命令であるか短時間命令であるかも示すことができる。
【００７５】
図４に示すように、アクション４１８および４２０において、送信元基地局４０４は、短時間ＣＨＯ要求＃１および短時間ＣＨＯ要求＃２を、それぞれターゲット基地局４０６および４０８に送信することができる。例えば、ＵＥ４０２がＵＲＬＬＣサービスにおいて高速に移動し、ターゲッティングしている場合、送信元基地局４０４は、短時間ＣＨＯ要求をターゲット基地局４０６および４０８の各々に送ることができる。
【００７６】
応答において、アクション４２２におけるアドミッション制御後、ターゲット基地局４０６は、専用のＲＡＣＨ構成、ターゲットセルのＩＤ、およびライフタイマーといったＵＥがターゲットセルに接続するために必要な情報とともに、短時間ＣＨＯ命令（または短時間ＣＨＯ構成）を含むハンドオーバー承認＃１を、送信元基地局４０４に送信する。本開示の実施形態のいくつかにおいて、ライフタイマーの値は、送信元基地局４０４から受信されたＣＨＯ命令要求＃１に基づいて、ターゲット基地局４０６によって決定される。ターゲット基地局４０６は、参照のための送信元基地局４０４の短時間の提案を受け入れ、ライフタイマーを短時間ライフタイマーとして設定することができる。ハンドオーバー承認＃１をターゲット基地局４０６から受信した後、アクション４３０において、送信元基地局４０４は、ＣＨＯコマンド＃１をＵＥ４０２へ送信してよい。
【００７７】
同様に、アクション４２４において、アドミッション制御の後、ターゲット基地局４０８は、専用ＲＡＣＨ構成、ターゲットセルのＩＤ、およびライフタイマーといった必要な情報を有する短時間ＣＨＯ命令（または短時間ＣＨＯ構成）を含むハンドオーバー承認＃２を送信元基地局４０４に送信することができる。本実施形態のいくつかにおいて、ライフタイマーの値が送信元基地局４０４から受信されたＣＨＯ命令要求＃２に基づいて、ターゲット基地局４０８によって決定される。ターゲット基地局４０８は、参照のための送信元基地局４０４の短時間の提案を採用し、ライフタイマーを短時間ライフタイマーとして設定することができる。ターゲット基地局４０８からハンドオーバー承認＃２を受信した後、アクション４３２において、送信元基地局４０４はＣＨＯ命令＃２をＵＥ４０２に送信する。
【００７８】
ＵＥがＣＨＯ命令＃１および＃２を受信した後、アクション４３４において、ＵＥ４０２は、対応するＣＨＯ命令がまだ有効である間、トリガー条件および退出条件（存在する場合）の評価を開始できる。ＣＨＯ命令トリガー条件が満たされ、ライフタイマー（構成されている場合）がまだ動作している間に、ＵＥ４０２は、ハンドオーバーのためにＣＨＯ命令を実行することができる。対応するトリガー条件を満たす複数のＣＨＯ命令が存在する場合、ＵＥ４０２は、アクション４３６に示すように、最も高いＨＯ優先度を有するＣＨＯ命令を実行してもよい。例えば、ＵＥ４０２は、ＣＨＯ命令＃１および＃２の両方が対応するトリガー条件を満たし、かつＣＨＯ命令＃１のＨＯ優先度がＣＨＯ命令＃２のＨＯ優先度よりも高い場合、アクション４３８に示すように、ＣＨＯ命令＃１を実行してターゲット基地局４０６のターゲットセル＃１に接続する。ターゲットセル＃１へのランダムアクセスに成功した後、ＵＥ４０２は、アクション４４０において、ＣＨＯ完了のメッセージをターゲット基地局４０６に送信することができる。一実装形態において、ＣＨＯ命令が実行され、ＨＯが成功した後、ＵＥ４０２に記憶された他のＣＨＯ命令（例えばＣＨＯ命令＃２）は、リリースされてもよい。
【００７９】
一実装形態において、ＣＨＯ命令の退出条件が満たされた場合、またはＣＨＯ命令のライフタイマーが終了した場合、対応するＣＨＯ命令が無効になり、したがってリリースされてよい。
【００８０】
図５を参照すると、図５は、本出願の例示的な実装形態に従った、長時間ＣＨＯ命令を用いるＣＨＯ手順を示す図である。図の５００はＵＥ５０２、送信元基地局（例えば、ｇＮＢ）５０４、ターゲット基地局（例えばｇＮＢ）５０６、ターゲット基地局（例えばｇＮＢ）５０８を含む。図の５００に示すように、アクション５１０、５１２、５１４、５１６、および５３４は、図４のアクション４１０、４１２、４１４、４１６、および４３４とそれぞれ実質的に類似し得る。
【００８１】
図５に示すように、アクション５１８および５２０において、送信元基地局５０４は、長時間ＣＨＯ要求＃１および長時間ＣＨＯ要求＃２を、それぞれターゲット基地局５０６および５０８に送信する。例えば、ＵＥ５０２はゆっくり移動している可能性があるが、統計情報はサービングセル品質がＵＥ５０２の軌跡に基づいて不安定であることを示す。従って、送信元基地局５０４は、図５に示すように、各ターゲット基地局に長時間ＣＨＯ命令の要求を送ることができる。
【００８２】
これに応答して、アクション５２２におけるアドミッション制御の後、ターゲット基地局５０６は、送信元基地局５０４に、共通ＲＡＣＨ構成、ターゲットセルのＩＤ、および長時間ライフタイマーといった必要な情報を長時間ＣＨＯ命令（または長時間ＣＨＯ構成）として含むハンドオーバー承認応答＃１を送信してよい。本実施形態のいくつかにおいて、ライフタイマーの値は、送信元基地局５０４から受信されたＣＨＯ命令要求＃１に基づいて、ターゲット基地局５０６によって決定される。ターゲット基地局５０６は、参照のための送信元基地局５０４の長時間の提案を受け入れ、ライフタイマーを長時間タイマーとして構成することができる。ターゲット基地局５０６からハンドオーバー承認＃１を受信した後、送信元基地局５０４は、ＣＨＯ命令＃１をＵＥ５０２へ、アクション５３０において、送信してもよい。
【００８３】
同様に、アクション５２４におけるアドミッション制御の後、ターゲット基地局５０８は、送信元基地局５０４に、共通ＲＡＣＨ構成、ターゲットセルのＩＤ、およびライフタイマーを有する長時間ＣＨＯ命令（または長時間ＣＨＯ構成）を含むハンドオーバー承認応答＃２を送ることができる。本実施形態のいくつかにおいて、ライフタイマーの値は送信元基地局５０４から受信されたＣＨＯ命令要求＃２に基づいて、ターゲット基地局５０８によって決定される。ターゲット基地局５０８は、参照のための送信元基地局５０４の長時間の提案を受け入れ、ライフタイマーを長期ライフタイマーとして構成することができる。ターゲット基地局５０８からハンドオーバー承認＃２を受信した後、送信元基地局５０４はＣＨＯ命令＃２をＵＥ５０２へ、アクション５３２において送信してもよい。
【００８４】
シグナリングオーバーヘッドを削減するために、本出願の図４および７において以下の実装形態により、測定報告の数および測定報告における測定内容を削減することができる。
【００８５】
図６を参照すると、図６は、本出願の例示的な実装形態に従って、ＣＨＯ命令に応答して特定の測定対象の測定を中断するＣＨＯ手順を示す図である。図の６００は、ＵＥ６０２、送信元基地局（例えばｇＮＢ）６０４、ターゲット基地局（例えばｇＮＢ）６０６、ターゲット基地局（例えばｇＮＢ）６０８を含む。
【００８６】
図の６００に示されるように、アクション６１０、６１２、６１４、６１６、６１８、６２０、６２２、６２４、６２６、６２８、および６３６は、図１のアクション１１０、１１２、１１４、１１６、１１８、１２０、１２２、１２４、１２６、１２８、および１３４とそれぞれ実質的に類似し得る。
【００８７】
本実装形態において、ＵＥ６０２は、測定構成に基づいて、受信され、記憶されたＣＨＯ命令のターゲットセルのキャリア周波数に関連付けられた測定対象の測定および報告を中断することができる。その結果、ＵＥ６０２は、ＣＨＯ命令のターゲットセルのキャリア周波数に関連付けられた測定対象のトリガー条件を測定するだけでよい。本実施形態のいくつかにおいて、ＵＥ６０２による有効なＣＨＯ命令のターゲットセルのキャリア周波数に関する測定オブジェクトに関連付けられた測定構成を一時停止することは、送信元基地局６０４の構成または一連の事前に定義された規則に依存し得ることに留意されたい。ＣＨＯ命令がＵＥ６０２によってリリースされた場合、ＵＥ６０２は、測定構成に基づいて、リリースされたＣＨＯ命令のターゲットセルのキャリア周波数に関連付けられた測定対象の測定および報告を再開することができる。
【００８８】
図６に示すように、アクション６３０において、ＵＥ６０２は、ターゲット基地局６０６からのハンドオーバー承認＃１に基づいて、送信元基地局６０４からＣＨＯ命令＃１を受信することができる。アクション６３２において、ＵＥ６０２は、ターゲット基地局６０８からのハンドオーバー承認＃２に基づいて、送信元基地局６０４からＣＨＯ命令＃２を受信することができる。アクション６３４において、ＵＥ６０２は測定オブジェクトＮＲ−ＡＲＦＣＮ＃１（例えば、ターゲット基地局６０６を有するキャリア周波数ターゲットセル＃１）および測定オブジェクトＮＲ−ＡＲＦＣＮ＃２（例えば、ターゲット基地局６０８を有するキャリア周波数ターゲットセル＃２）に関連する測定構成を一時停止することができる。しかしながら、本実施形態のいくつかにおいて、ＣＨＯ命令＃１および＃２のトリガー条件のための測定が依然として実行されてもよい。
【００８９】
図７を参照すると、図７は、本出願の例示的な実装形態に従って、ＣＨＯ命令に応答してターゲットセルの測定内容を省略するＣＨＯ手順を示す図である。図の７００は、ＵＥ７０２、送信元基地局（例えばｇＮＢ）７０４、ターゲット基地局（例えばｇＮＢ）７０６、ターゲット基地局（例えばｇＮＢ）７０８を含む。
【００９０】
図の７００に示されるように、アクション７１０、７１２、７１４、７１６、７１８、７２０、７２２、７２４、７２６、７２８および７３６は、図１のアクション１１０、１１２、１１４、１１６、１１８、１２０、１２２、１２４、１２６、１２８および１３４とそれぞれ実質的に類似し得る。
【００９１】
本実装形態において、ＣＨＯ命令を受信したとき、ＵＥ７０２は自律的に、または送信元基地局７０４の構成に基づいて、ＣＨＯ命令に関連付けられたターゲットセルに関連する測定内容を省略して、対応する測定レポートの測定内容を減らすことができる。測定内容は、イベントによりトリガーされた測定報告および／または定期的な測定報告を含むことができる。ＣＨＯ命令がＵＥ７０２によってリリースされる場合、ＵＥ７０２は、リリースされたＣＨＯ命令のターゲットセルに関連付けられた測定内容を、対応する測定レポートに追加して戻すことができる。
【００９２】
図７に示すように、アクション７３０において、ＵＥ７０２は、ターゲット基地局７０６からのハンドオーバー承認応答＃１に基づいて、送信元基地局７０４から、ターゲットセル＃１に関連付けられたＣＨＯ命令＃１を受信する。アクション７３２において、ＵＥ７０２は、ターゲット基地局７０８からのハンドオーバー承認応答＃２に基づいて、送信元基地局７０４から、ターゲットセル＃２に関連付けられたＣＨＯ命令＃２を受信する。アクション７３４において、ＵＥ７０２は、対応する測定報告におけるターゲットセル＃１および＃２に関する測定内容を省略することができる。
【００９３】
ネットワーク制御性を増加させるために、本出願の図８、９、１０、１１、１２、１３、１４、１５、１６、１７、および１８における、以下の実装形態は、ＣＨＯに関するＵＥの決定を知る、または確認するためのネットワークのためのメカニズムを提供し得る。これらのメカニズムは、ＵＥ用に構成することも、ＵＥ用に事前に定義することもできる。
【００９４】
図８を参照すると、図８は、本出願の例示的な実装形態に従った、ＣＨＯ実行命令を有するＣＨＯ手順を示す図である。図の８００はＵＥ８０２、送信元基地局（例えばｇＮＢ）８０４、ターゲット基地局（例えばｇＮＢ）８０６、ターゲット基地局（例えばｇＮＢ）８０８を含む。
【００９５】
図の８００に示すように、アクション８１０、８１２、８１４、８１６、８１８、８２０、８２２、８２４、８２６、８２８、８３０、８３２および８３４は、それぞれ、図４のアクション４１０、４１２、４１４、４１６、４１８、４２０、４２２、４２４、４２６、４２８、４３０、４３２および４３４と実質的に同様であり得る。
【００９６】
本実装形態において、送信元基地局８０４は、ＨＯ決定を行うように構成され、送信元基地局８０４から受信したＣＨＯ命令の１つを実行するようにＵＥ８０２に命令するために、ＣＨＯ実行命令をＵＥ８０２に送信する。送信元基地局８０４は、ターゲット基地局８０６および８０８の負荷情報を含む、システム全体の状態に関する情報を有するため、送信元基地局８０４は、ＵＥ８０２に代わって決定を行い、ＨＯ手順の全体を制御するためのより良い位置にあり得、同時に、ハンドオーバー命令の失敗の可能性を低減するために、Ｘ２／Ｘｎインターフェースを介してターゲット基地局とネゴシエートするための時間を節約することができる。
【００９７】
図８に示すように、ＵＥ８０２は、ＣＨＯ命令＃１および＃２をそれぞれアクション８３０および８３２において受信する。アクション８３４において、ＵＥ８０２は、対応するＣＨＯ命令が依然として有効である間、各ＣＨＯ命令のトリガー条件および退出条件（存在する場合）を評価してもよい。ＣＨＯ命令のトリガー条件が満たされ、ライフタイマー（構成されている場合）がまだ動作中であるとき、ＵＥは、ハンドオーバーのためにＣＨＯ命令を実行することができる。しかしながら、ＵＥ８０２がＣＨＯ命令（例えばＣＨＯ命令＃１および＃２）を保存しているにもかかわらず、送信元基地局８０４は、特定の保存されたＣＨＯ命令を実行するようにＵＥ８０２に指令するために、ＵＥ８０２へのＣＨＯ実行命令を送信してもよい。本実施形態のいくつかにおいて、ＵＥ８０２がＣＨＯ命令（例えばＣＨＯ命令＃１および＃２）を保存しているにもかかわらず、送信元基地局８０４は、受信した従来のハンドオーバー命令を実行するようにＵＥ８０２に命令するために、依然として従来のハンドオーバー命令メッセージをＵＥ８０２に送信することができる。送信元基地局８０４は、最新の測定報告８３６（例えば、ＣＨＯ命令がＵＥ８０２に記憶されている場合、送信元基地局８０４の測定構成に基づいて送信元基地局８０４に報告することもできる他のイベントによりトリガーされる測定報告および／または定期測定報告）に基づいて、ＣＨＯ実行命令を送信することを決定することができる。図８に示すように、アクション８４０において、ＵＥ８０２は、送信元基地局８０４がアクション８３８においてＨＯ決定を行った後、ＣＨＯ命令＃１を実行するためのＣＨＯ実行命令を受信してもよい。アクション８４２において、ＵＥ８０２は、ランダムアクセス手順を開始して、ターゲットセル＃１に接続することができる。アクション８４４において、ＵＥ８０２は、ＣＨＯ完了メッセージをターゲット基地局８０６に送信することができる。あるいは、ＵＥ８０２は、ＣＨＯ完了メッセージを送信元基地局８０４に送信してもよい。一旦、ＨＯが成功すると、ＵＥ８０２に記憶された他のＣＨＯ命令は、リリースされてもよい。別の実施形態において、ＣＨＯ命令がトリガー条件なしで構成することができ、ＵＥは、送信元基地局８０４からのＣＨＯ実行命令を待機するだけでよく、ＣＨＯ命令のトリガー条件の評価は必要ない。
【００９８】
図９を参照すると、図９は、本出願の例示的な実装形態に従った、ＣＨＯ通知メッセージ、ＣＨＯ確認メッセージ、および応答タイマーを有するＣＨＯ手順を示す図である。図の９００は、ＵＥ９０２、送信元基地局（例えばｇＮＢ）９０４、ターゲット基地局（例えばｇＮＢ）９０６、ターゲット基地局（例えばｇＮＢ）９０８を含む。
【００９９】
図の９００に示すように、アクション９１０、９１２、９１４、９１６、９１８、９２０、９２２、９２４、９２６、９２８、９３０、９３２、および９３４は、それぞれ、図８のアクション８１０、８１２、８１４、８１６、８１８、８２０、８２２、８２４、８２６、８２８、８３０、８３２、および８３４と実質的に同様であり得る。
【０１００】
アクション９３６において、ＣＨＯ命令＃１および＃２の両方がトリガー条件を満たし、ＣＨＯ命令＃１は、ＣＨＯ命令＃２より高いＨＯ優先度を持つ。本開示の実装形態において、ターゲットセル＃１に接続するためにＣＨＯ命令＃１を直ちに実行する代わりに、アクション９３８において、ＵＥ９０２は、トリガーされたＣＨＯ命令＃１の情報を送信元基地局９０４に知らせるＣＨＯ通知メッセージを送信してもよい。ＣＨＯ通知メッセージは、ＣＨＯ命令のＩＤまたはＣＨＯ命令＃１に対応する構成を含んでもよい。各ＣＨＯ命令のＣＨＯ命令のＩＤは、送信元基地局９０４によって割り当てられ、対応するＣＨＯ命令による再構成の一部としてＵＥ９０２に送信され得る。
【０１０１】
ＵＥ９０２がＣＨＯ通知メッセージを送信元基地局９０４に送信するとき、応答タイマーは開始する。応答タイマーの値は、送信元基地局９０４によって、またはトリガーされたＣＨＯ命令に関連付けられたターゲット基地局（例えばターゲット基地局９０６）によって構成されてもよく、あるいは事前に定義されてもよい。応答タイマーがまだ動作中である間、送信元基地局９０４は、トリガーされたＣＨＯ命令の実行を許可するかどうかを決定することができる。
【０１０２】
送信元基地局９０４が、トリガーされたＣＨＯ命令は許容可能であるとみなす場合、アクション９４０において、送信元基地局９０４は応答タイマーがまだ実行されている間に、ＣＨＯ確認メッセージをＵＥ９０２に送信して戻すことができる。ＵＥ９０２がＣＨＯ確認メッセージを受信した後、ＵＥ９０２は、アクション９４２において、トリガーされたＣＨＯ命令を実行して、ＣＨＯ命令＃１に関連付けられたターゲットセル＃１に接続することができ、応答タイマーは停止する。ＣＨＯ確認メッセージをＵＥ９０２に送信した後、送信元基地局９０４は、アクション９４４において、ＵＥ９０２へのダウンリンクデータ送信を停止し得る。アクション９４６において、ＵＥ９０２は、ＣＨＯ完了メッセージをターゲット基地局９０６に送信することができる。または、ＵＥ９０２がＣＨＯ完了メッセージを送信元基地局９０４に送信することができる。ＣＨＯ確認メッセージをＵＥ９０２に送信した後、またはＵＥ９０２からＣＨＯ完了メッセージを受信した後、送信元基地局９０４は、アクション９４８において、ターゲット基地局９０６へのデータ転送を開始してもよい。一旦、ＨＯが成功すると、ＵＥ９０２に記憶された他のＣＨＯ命令はリリースされてもよい。
【０１０３】
別の実装形態において、送信元基地局９０４がトリガーされたＣＨＯ命令が許容可能でないと見なす場合、送信元基地局９０４は、新しいハンドオーバー命令を送信するか、またはトリガーされたＣＨＯ命令の実行を拒絶することができる。別の実装形態において、応答タイマーが終了し、送信元基地局９０４からの応答が受信されない場合、ＵＥ９０２は、サービングセルの品質が送信元基地局９０４から応答を受信することができないほどに急速に低下したと判定することができる。このような場合、ＵＥ９０２は、トリガーされたＣＨＯ命令を実行することができる。
【０１０４】
図１０を参照すると、図１０は、本出願の実装形態に従って、１つのＣＨＯ命令を実行するためのＣＨＯ通知メッセージ、別のＣＨＯ命令を実行するためのＣＨＯ確認メッセージ、および応答タイマーを有するＣＨＯ手順を示す図である。図の１０００は、ＵＥ１００２、送信元基地局（例えばｇＮＢ）１００４、ターゲット基地局（例えばｇＮＢ）１００６、ターゲット基地局（例えばｇＮＢ）１００８を含む。
【０１０５】
図の１０００に示されるように、アクション１０１０、１０１２、１０１４、１０１６、１０１８、１０２０、１０２２、１０２４、１０２６、１０２８、１０３０、１０３２、１０３４、および１０３６は、図９におけるアクション９１０、９１２、９１４、９１６、９１８、９２０、９２２、９２４、９２６、９２８、９３０、９３２、９３４、および９３６と実質的に同様であり得る。
【０１０６】
本実装形態における、アクション１０３８において、ＵＥ１００２は、トリガーされたＣＨＯ命令＃１の情報を送信元基地局１００４に知らせるＣＨＯ通知メッセージを送信することができる。ＣＨＯ通知メッセージは、ＣＨＯ命令のＩＤまたはＣＨＯ命令＃１に対応する構成を含む。各ＣＨＯ命令のＣＨＯ命令ＩＤは、送信元基地局１００４によって割り当てられ、対応するＣＨＯ命令による再構成の一部としてＵＥ１００２に送信され得る。
【０１０７】
ＵＥ１００２がＣＨＯ通知メッセージを送信元基地局１００４に送信するとき、応答タイマーは開始してよい。応答タイマーの値は、送信元基地局１００４によって、またはトリガーされたＣＨＯ命令に関連付けられたターゲット基地局（例えば、ターゲット基地局１００６）によって構成されてもよく、あるいは事前に定義されてもよい。応答タイマーがまだ動作中である間、送信元基地局１００４は、トリガーされたＣＨＯ命令の実行を許可するかどうかを決定することができる。
【０１０８】
図９のアクション９４０とは対照的に、図１０のアクション１０４０において、送信元基地局１００４は、応答タイマーがまだ動作中にＣＨＯ確認メッセージをＵＥ１００２に送り返してもよく、ここで、ＣＨＯ確認メッセージはＵＥ１００２に、ＣＨＯ命令＃２などの別の保存されたＣＨＯ命令を使用するように指令する。ＵＥ１００２がＣＨＯ確認メッセージを受信した後、ＵＥ１００２は、アクション１０４２において、トリガーされたＣＨＯ命令を実行して、ＣＨＯ命令＃２に関連付けられたターゲットセル＃２に接続することができ、応答タイマーは停止することができる。ＣＨＯ確認メッセージをＵＥ１００２に送信した後、送信元基地局１００４は、アクション１０４４において、ＵＥ１００２へのダウンリンクデータ送信を停止し得る。アクション１０４０において、ＵＥ１００２は、ＣＨＯ完了メッセージをターゲット基地局１００８に送信することができる。あるいは、ＵＥ１００２がＣＨＯ完了メッセージを送信元基地局１００４に送信することができる。ＣＨＯ確認メッセージをＵＥ１００２に送信した後、またはＵＥ１００２からＣＨＯ完了メッセージを受信した後、送信元基地局１００４は、アクション１０４８でターゲット基地局１００８へのデータ転送を開始してもよい。一旦、ＨＯが成功すると、ＵＥ１００２に記憶された他のＣＨＯ命令はリリースされてもよい。
【０１０９】
図１１を参照すると、図１１は本出願の例示的な実装形態に従った、１つのＣＨＯ命令を実行するが、ＣＨＯ確認メッセージおよび応答タイマーを用いないＣＨＯ通知メッセージを有するＣＨＯ手順を示す図である。図の１１００は、ＵＥ１１０２、送信元基地局（例えばｇＮＢ）１１０４、ターゲット基地局（例えばｇＮＢ）１１０６、ターゲット基地局（例えばｇＮＢ）１１０８を含む。
【０１１０】
図の１１００に示されるように、アクション１１１０、１１１２、１１１４、１１１６、１１１８、１１２０、１１２２、１１２４、１１２６、１１２８、１１３０、１１３２、１１３４、および１１３６は、それぞれ図９のアクション９１０、９１２、９１４、９１６、９１８、９２０、９２２、９２４、９２６、９２８、９３０、９３２、９３４、および９３６と実質的に同様であり得る。
【０１１１】
本実装形態における、アクション１１３８において、ＵＥ１１０２は、トリガーされたＣＨＯ命令＃１の情報を送信元基地局１１０４に知らせるＣＨＯ通知メッセージを送信することができる。ＣＨＯ通知メッセージは、ＣＨＯ命令のＩＤまたはＣＨＯ命令＃１の対応する構成を含む。各ＣＨＯ命令のＣＨＯ命令のＩＤは、送信元基地局１１０４によって割り当てられ、対応するＣＨＯ命令による再設定の一部としてＵＥ１１０２に送信され得る。
【０１１２】
ＵＥ１１０２がＣＨＯ通知メッセージを送信元基地局１１０４に送信するとき、応答タイマーは、例えば、ネットワーク命令または指令を待機するために開始してもよい。応答タイマーの値は、送信元基地局１１０４によって、トリガーされたＣＨＯ命令に関連付けられたターゲット基地局（例えばターゲット基地局１１０６）によって構成されてもよく、または事前に定義されてもよい。
【０１１３】
本実装形態において、ＵＥ１１０２は、応答タイマーが終了する前に、送信元基地局１１０４からＣＨＯ確認メッセージ、他の命令または指令を受信しないことがある。したがって、ＵＥ９０２は、サービングセル品質が悪化して、送信元基地局９０４へのＣＨＯ通知メッセージ（ＡＲＱおよびＨＡＲＱによって保護される）の送信が失敗したか、またはＵＥ９０２へのＣＨＯ確認メッセージの送信が失敗したかのいずれかであると仮定することができる。応答タイマーが終了すると、ＵＥ１１０２は、トリガーされたＣＨＯ命令（例えばＣＨＯ命令＃１）を実行し、アクション１１４０において、ＣＨＯ命令＃１に関連付けられたターゲットセル＃１に接続することができる。
【０１１４】
ＵＥ１１０２からＣＨＯ完了メッセージを受信した後、アクション１１４２において、ターゲット基地局１１０６はＨＯが成功したと決定し、アクション１１４４において、ＣＨＯ表示メッセージを送信元基地局１１０４に送信することができる。ＣＨＯ表示メッセージを受信すると、送信元基地局１１０４は、アクション１１４６において、ＵＥ１１０２へのダウンリンクデータ送信を停止し、アクション１１４８において、ターゲット基地局１１０６へのデータ転送を開始することができる。送信元基地局１１０４は、また、他のターゲット候補基地局（例えば、ターゲット基地局１１０８）の他のＣＨＯ命令の情報をリリースすることができ、例えば、ＵＥに提供される対応するＣＨＯ命令の対応するライフタイマーが終了してない間に、他のターゲット候補基地局に通知を送信することができる。
【０１１５】
図１２を参照すると、図１２は、本出願の例示的な実装形態による、従来のＨＯ手順、従来のＨＯ命令、ＣＨＯ通知、および応答タイマーが後続するＣＨＯ手順を示す図である。図の１２００はＵＥ１２０２、送信元基地局（例えばｇＮＢ）１２０４、ターゲット基地局（例えばｇＮＢ）１２０６、ターゲット基地局（例えばｇＮＢ）１２０８を含む。
【０１１６】
図の１２００に示すように、アクション１２１０、１２１２、１２１４、１２１６、１２１８、１２２０、１２２２、１２２４、１２２６、１２２８、１２３０、１２３２、１２３４、および１２３６は、それぞれ、図９のアクション９１０、９１２、９１４、９１６、９１８、９２０、９２２、９２４、９２６、９２８、９３０、９３２、９３４、および９３６と実質的に同様であり得る。
【０１１７】
本実装形態における、アクション１２３８において、ＵＥ１２０２は、トリガーされたＣＨＯ命令＃１の情報を送信元基地局１２０４に知らせるＣＨＯ通知メッセージを送信することができる。ＣＨＯ通知メッセージは、ＣＨＯ命令のＩＤまたはＣＨＯ命令＃１の対応する構成が含まれてもよい。各ＣＨＯ命令のＣＨＯ命令ＩＤは、送信元基地局１２０４によって割り当てられ、対応するＣＨＯ命令による再構成の一部としてＵＥ１２０２に送信され得る。
【０１１８】
ＵＥ１２０２がＣＨＯ通知メッセージを送信元基地局１２０４に送信するとき、応答タイマーが例えば、ネットワーク命令または指令を待機するために開始してもよい。応答タイマーの値は、送信元基地局１２０４によって、トリガーされたＣＨＯ命令に関連付けられたターゲット基地局（例えばターゲット基地局１２０６）によって、または事前に定義されることによって構成されてよい。応答タイマーがまだ動作している間、送信元基地局１２０４は、アクション１２４０において、従来のハンドオーバー命令メッセージをＵＥ１２０２に送信することができる。
【０１１９】
従来のハンドオーバー命令メッセージを送信元基地局１２０４から受信した後、ＣＨＯ命令＃１の実行を待機することは中断され、代わりに、ＵＥ１２０２は、送信元基地局１２０４から受信された従来のハンドオーバー命令を実行することができる。アクション１２４４に示されるように、ＵＥ１２０２は、従来のハンドオーバー命令に基づいて、ターゲットセルに接続することができる。
【０１２０】
アクション１２４６において、ＵＥ１２０２は、（すなわち、従来のハンドオーバー命令のための）ＨＯ完了メッセージをターゲット基地局１２０６に送ることができる。あるいは、ＵＥ１２０２は、ＣＨＯ完了メッセージを送信元基地局１２０４に送信することができる。従来型ハンドオーバー命令をＵＥ１２０２に送信した後、送信元基地局１２０４は、アクション１２４８において、ターゲット基地局１２０６へのデータ転送を開始することができる。
【０１２１】
図１２に示す本実装形態における、アクション１２４０において、従来のハンドオーバー手順のために、送信元基地局１２０４によって選択されたターゲット基地局は、トリガーされたＣＨＯ命令に基づいて、たまたま選択されたターゲット基地局と同じであるターゲット基地局１２０６であることに留意されたい。別の実装形態において、従来のハンドオーバー手順のために選択されたターゲット基地局は、トリガーされたＣＨＯ命令に基づいて、選択されたターゲット基地局とは異なってもよい。
【０１２２】
図１３を参照すると、図１３は、本出願の例示的な実装形態に従った、１つのＣＨＯ命令、ＣＨＯ拒否メッセージ、および応答タイマーを実行するためのＣＨＯ通知メッセージを有するＣＨＯ手順を示す図である。図の１３００は、ＵＥ１３０２、送信元基地局（例えばｇＮＢ）１３０４、ターゲット基地局（例えばｇＮＢ）１３０６、ターゲット基地局（例えばｇＮＢ）１３０８を含む。
【０１２３】
図の１３００に示されるように、アクション１３１０、１３１２、１３１４、１３１６、１３１８、１３２０、１３２２、１３２４、１３２６、１３２８、１３３０、１３３２、１３３４、および１３３６は、図９におけるアクション９１０、９１２、９１４、９１６、９１８、９２０、９２２、９２４、９２６、９２８、９３０、９３２、９３４、および９３６と実質的に同様であり得る。
【０１２４】
本実装形態における、アクション１３３８において、ＵＥ１３０２は、トリガーされたＣＨＯ命令（例えば、ＣＨＯ命令＃１）の情報を送信元基地局１３０４に知らせるためのＣＨＯ通知メッセージを送信することができる。ＣＨＯ通知メッセージは、ＣＨＯ命令のＩＤまたはＣＨＯ命令＃１の対応する構成を含む。各ＣＨＯ命令のＣＨＯ命令のＩＤは、送信元基地局１３０４によって割り当てられ、対応するＣＨＯ命令による再構成の一部としてＵＥ１３０２に送信され得る。
【０１２５】
ＵＥ１３０２がＣＨＯ通知メッセージを送信元基地局１３０４に送信するとき、応答タイマーは開始してよい。応答タイマーの値は、送信元基地局１３０４またはターゲット基地局１３０６／１３０８によって構成されてもよく、または事前に定義されてもよい。応答タイマーがまだ動作中である間、送信元基地局１３０４は、トリガーされたＣＨＯ命令の実行を許可するかどうかを決定することができる。送信元基地局１３０４は、応答タイマーがまだ実行されている間に、アクション１３４０において、ＣＨＯ拒否メッセージをＵＥ１３０２に送信することによって、トリガーされたＣＨＯ命令の実行を拒否することを決定することができる。
【０１２６】
ＵＥ１３０２がＣＨＯ通知メッセージに応答してＣＨＯ拒絶メッセージを受信するとき、アクション１３４２において、ＣＨＯ通知メッセージに関連するトリガーされたＣＨＯ命令はリリースされる。別のトリガーされたＣＨＯ命令がある場合、ＵＥ１３０２は、他のトリガーされたＣＨＯ命令に応答して、新しいＣＨＯ通知メッセージを送信元基地局１３０４に送信することができる。この場合、応答タイマーは終了するまで動作し続けるか、または他のトリガーされたＣＨＯ命令が送信されたときに再開する可能性がある。
【０１２７】
別の実装形態において、ＵＥ１３０２がＣＨＯ拒否命令を受信した場合、ネットワークはＣＨＯ手順全体を禁止／防止したいため、ＵＥ１３０２は、保存されたすべてのＣＨＯ命令をリリースしてよい。
【０１２８】
別の実装形態において、ＵＥ１３０２がＣＨＯ拒否命令を受信した場合、ＵＥ１３０２は、ＣＨＯ拒否命令の中で表示されてもよい期間、保存されたすべてのＣＨＯ命令を中断してもよい。
【０１２９】
図１４を参照すると、図１４は、本出願の例示的な実装形態に従った、１つのＣＨＯ命令を実行するためのＣＨＯ通知メッセージを有し、応答タイマーを有さないＣＨＯ手順を示す図である。図の１４００は、ＵＥ１４０２、送信元基地局（例えばｇＮＢ）１４０４、ターゲット基地局（例えばｇＮＢ）１４０６、ターゲット基地局（例えばｇＮＢ）１４０８を含む。
【０１３０】
図の１４００に示されるように、アクション１４１０、１４１２、１４１４、１４１６、１４１８、１４２０、１４２２、１４２４、１４２６、１４２８、１４３０、１４３２、１４３４、および１４３６は、それぞれ、図９のアクション９１０、９１２、９１４、９１６、９１８、９２０、９２２、９２４、９２６、９２８、９３０、９３２、９３４、および９３６と実質的に同様であり得る。
【０１３１】
アクション１４３８において、ＵＥ１４０２は、トリガーされたＣＨＯ命令＃１の情報を送信元基地局１４０４に知らせるＣＨＯ通知メッセージを送信することができる。ＣＨＯ通知メッセージは、ＣＨＯ命令のＩＤまたはＣＨＯ命令＃１の対応する構成を含んでもよい。各ＣＨＯ命令のＣＨＯ命令のＩＤは、送信元基地局１４０４によって割り当てられ、対応するＣＨＯ命令による再構成の一部としてＵＥ１４０２に送信され得る。
【０１３２】
ＵＥ１４０２は、ＣＨＯ通知メッセージを送信元基地局１４０４に送信した後、ＵＥ１４０２は、ネットワークまたは送信元基地局１４０４からの命令または指令を待機せずに、トリガーされたＣＨＯ命令＃１を実行することができる。本実施形態のいくつかにおいて、ＵＥ１４０２は、トリガーされたＣＨＯ命令＃１を最初に実行し、次いで、ＣＨＯ通知メッセージを送信元基地局１４０４に送信することができる。一方、送信元基地局１４０４がＵＥ１４０２からＣＨＯ通知命令を受信するとき、送信元基地局１４０４は、ＣＨＯ命令＃１に対応するターゲット基地局１４０６とのＨＯを準備してもよい。
【０１３３】
本実装形態において、ＣＨＯ通知メッセージが送られるとき、応答タイマーがなくてもよい。アクション１４４０において、ＵＥ１４０２は、ＣＨＯ通知メッセージを送信した後に、トリガーされたＣＨＯ命令＃１を実行して、ターゲットセル＃１内のターゲット基地局１４０６に接続することができる。その後、アクション１４４４において、ＵＥ１４０２は、ＣＨＯ完了メッセージをターゲット基地局１４０６に送信することができる。
【０１３４】
送信元基地局１４０４がトリガーされたＣＨＯ命令の情報を含むＣＨＯ通知メッセージ（例えば、ＣＨＯ命令のＩＤまたは対応する構成）を成功して受信すると、送信元基地局１４０４は、アクション１４４２において、ＵＥ１４０２へのダウンリンクデータ送信を停止し得る（ＣＨＯ命令がメイクビフォーブレイク機能を構成しない場合）。また、アクション１４４６において、送信元基地局１４０４は、ターゲット基地局１４０６へのデータ転送を開始し得る。ＨＯ手順が成功すると、ＵＥ１４０２に保存された他のＣＨＯ命令はリリースされてもよい。
【０１３５】
図１５を参照すると、図１５は本出願の例示的な実装形態に従った、不成功のＣＨＯ通知メッセージ送達を有し、応答タイマーを有さないＣＨＯ手順を示す図である。図の１５００は、ＵＥ１５０２、送信元基地局（例えばｇＮＢ）１５０４、ターゲット基地局（例えばｇＮＢ）１５０６、ターゲット基地局（例えばｇＮＢ）１５０８を含む。
【０１３６】
図の１５００に示すように、アクション１５１０、１５１２、１５１４、１５１６、１５１８、１５２０、１５２２、１５２４、１５２６、１５２８、１５３０、１５３２、１５３４、および１５３６は、図１４のアクション１４１０、１４１２、１４１４、１４１６、１４１８、１４２０、１４２２、１４２４、１４２６、１４２８、１４３０、１４３２、１４３４、および１４３６と実質的に同様であり得る。
【０１３７】
アクション１５３８において、ＵＥ１５０２は、トリガーされたＣＨＯ命令＃１の情報を送信元基地局１５０４に通知するために、ＣＨＯ通知メッセージを送信することができる。ＣＨＯ通知メッセージは、ＣＨＯ命令のＩＤまたはＣＨＯ命令＃１の対応する構成が含んでよい。各ＣＨＯ命令のＣＨＯ命令ＩＤは、送信元基地局１５０４によって割り当てられ、対応するＣＨＯ命令による再構成の一部としてＵＥ１５０２に送信され得る。
【０１３８】
しかしながら、ＣＨＯ通知メッセージは、送信元基地局１５０４によって受信されない可能性がある。その結果、ＣＨＯ命令＃１がトリガーされたことを知らない送信元基地局１５０４は、ＣＨＯ命令＃１に対応するターゲット基地局１５０６との間でＨＯの準備を行わない可能性がある。
【０１３９】
ＵＥ１５０２がＣＨＯ通知メッセージを送信元基地局１５０４に送信した後、ＵＥ１５０２は、ネットワークまたは送信元基地局１５０４からの命令または指令を待たずに、トリガーされたＣＨＯ命令＃１を実行するかもしれない。
【０１４０】
本実装形態において、ＣＨＯ通知メッセージが送られるとき、応答タイマーがないかもしれない。アクション１５４０において、ＵＥ１５０２は、ＣＨＯ通知メッセージを送信した後、トリガーされたＣＨＯ命令＃１を実行して、ターゲットセル＃１内のターゲット基地局１５０６に接続することができる。その後、アクション１５４２において、ＵＥ１５０２は、ＣＨＯ完了メッセージをターゲット基地局１５０６に送信することができる。上述したように、本実施形態のいくつかにおいて、ＵＥ１５０２がまず、トリガーされたＣＨＯ命令＃１（例えば、ターゲット基地局１５０６のターゲットセル＃１に接続する）を実行し、次に、ＣＨＯ通知メッセージ（例えば、送信元基地局１５０４に送信する）を送信することができる。
【０１４１】
ＵＥ１５０２からＣＨＯ完了メッセージを受信した後、ターゲット基地局１５０６は、ＨＯが成功したと決定することができる。その後、アクション１５４４において、ターゲット基地局１５０６は、ＣＨＯ表示メッセージを送信元基地局１５０４に送信することができる。ＣＨＯ表示メッセージを受信すると、送信元基地局１５０４は、アクション１５４６において、ＵＥ１５０２へのダウンリンクデータ送信を停止し、アクション１５４８において、ターゲット基地局１５０６へのデータ転送を開始することができる。一旦、ＨＯ手順が成功すると、ＵＥ１５０２に保存された他のＣＨＯ命令はリリースされてもよい。
【０１４２】
図１６を参照すると、図１６は本出願の例示的な実装形態に従った、ＣＨＯ通知がなく、トリガーされたＣＨＯ命令との衝突がない、従来のＨＯ手順が後続するＣＨＯ手順を示す図である。図の１６００は、ＵＥ１６０２、送信元基地局（例えばｇＮＢ）１６０４、ターゲット基地局（例えばｇＮＢ）１６０６、ターゲット基地局（例えばｇＮＢ）１６０８を含む。
【０１４３】
図の１６００に示されるように、アクション１６１０、１６１２、１６１４、１６１６、１６１８、１６２０、１６２２、１６２４、１６２６、１６２８、１６３０、１６３２、および１６３４は、図９におけるアクション９１０、９１２、９１４、９１６、９１８、９２０、９２２、９２４、９２６、９２８、９３０、９３２、および９３４とそれぞれ実質的に同様であり得る。
【０１４４】
本実装形態において、ＵＥ１６０２は、ＣＨＯ命令を保存するが、送信元基地局１６０４は、ＨＯのために従来のハンドオーバー命令メッセージをＵＥ１６０２に依然として送信することができる。アクション１６３６に示されるように、ＵＥ１６０２は、送信元基地局１６０４に測定報告を送ることができる。アクション１６３８において、送信元基地局１６０４は、ターゲット基地局１６０６とＨＯ手順を開始するＨＯ決定を行うことができる。その後、アクション１６４０、１６４２、１６４４、および１６４６において、従来のＨＯ手順が実行される。
【０１４５】
本実装形態において、ＵＥ１６０２は、アクション１６４４において、従来のハンドオーバー命令メッセージを受信する前に、トリガーされたＣＨＯ命令が存在しない場合がある。したがって、ＵＥ１６０２は、アクション１６４６において、従来のハンドオーバー命令メッセージで示されるターゲットセルに接続するために、従来のハンドオーバー命令メッセージを実行し得る。ＨＯ手順が成功すると、ＵＥ１６０２は、アクション１６４８において、ＨＯ完了メッセージをターゲット基地局１６０６に送信することができる。その後、アクション１６５０において、ＵＥ１６０２内の全ての保存されたＣＨＯ命令は、図１６に示されるようにリリースされ得る。
【０１４６】
図１７を参照すると、図１７は、本出願の例示的な実装形態に従って、ＣＨＯ通知なし、およびトリガーされたＣＨＯ命令の衝突を伴う、従来のＨＯ手順が後続するＣＨＯ手順を示す図である。図の１７００は、ＵＥ１７０２、送信元基地局（例えばｇＮＢ）１７０４、ターゲット基地局（例えばｇＮＢ）１７０６、ターゲット基地局（例えばｇＮＢ）１７０８を含む。
【０１４７】
図の１７００に示されるように、アクション１７１０、１７１２、１７１４、１７１６、１７１８、１７２０、１７２２、１７２４、１７２６、１７２８、１７３０、１７３２、および１７３４は、図９におけるアクション９１０、９１２、９１４、９１６、９１８、９２０、９２２、９２４、９２６、９２８、９３０、９３２、および９３４とそれぞれ実質的に類似し得る。
【０１４８】
本実装形態において、ＵＥ１７０２は、ＣＨＯ命令を保存するが、送信元基地局１７０４は、ＨＯのために従来のハンドオーバー命令メッセージをＵＥ１７０２に依然として送信することができる。アクション１７３６に示されるように、送信元基地局１７０４は、ターゲット基地局１７０６とＨＯ手順を開始するＨＯ決定を行うことができる。その後、アクション１７４０および１７４２において、送信元基地局１７０４はそれぞれ、ターゲット基地局１７０６にハンドオーバー要求を送信し、ハンドオーバー承認を受信することができる。
【０１４９】
本出願における、アクション１７３８において、ＵＥ１７０２は、ＣＨＯ命令＃１と＃２の両方がトリガー条件を満たすと決定し、ＣＨＯ命令は、より高いＨＯ優先度を有する。本実装形態において、ＵＥ１７０２は、ＣＨＯ通知を送信元基地局１７０４に送信せず、代わりに、ＣＨＯ命令＃１に関連付けられたターゲット基地局１７０６への接続を開始することができる。
【０１５０】
ＵＥ１７０２は、アクション１７４４を実行するが、ＵＥ１７０２は、アクション１７４６において、送信元基地局１７０４から従来のハンドオーバー命令を受信することができる。すなわち、ＵＥ１７０２は例えば、アクション１７４４におけるランダムアクセス手順のための専用または共通ＲＡＣＨリソースを使用して、トリガーされたＣＨＯ命令を実行している間、ＵＥ１７０２は、アクション１７４６において、送信元基地局１７０４から従来のハンドオーバー命令メッセージを受信することもできる。従来のハンドオーバー命令メッセージは、最新の無線構成を用いる最新の測定報告に基づいているので、本実装形態において、ＵＥ１７０２は、進行中のトリガーされたＣＨＯ命令を中断することができ、代わりに、受信された従来のハンドオーバー命令を実行することができる。
【０１５１】
一実装形態において、トリガーされたＣＨＯ命令がメイクビフォーブレイク機能を構成する場合、ＵＥ１７０２は、ＣＨＯ命令＃１に応答してターゲットセル＃１内のターゲット基地局１７０６に接続するための全体的なＨＯ手順を完了しないので、ＣＨＯ命令＃１の実行は中断され得、受信された従来のハンドオーバー命令は代わりに実行され得る。すなわち、ＵＥ１７０２は、受信された従来のハンドオーバー命令の実行を開始し得る。ＨＯ手順が成功した後、１７５２に示すように、ＵＥ１７０２内の全ての保存されたＣＨＯ命令はリリースされ得る。
【０１５２】
別の実装形態において、ＣＨＯ命令がメイクビフォーブレイク機能を構成しない場合、ＵＥ１７０２は、送信元基地局１７０４への接続を切断し得、ターゲット基地局１７０６へのランダムアクセス手順を実行し得るので、ＵＥ１７０２は、従来のハンドオーバー命令メッセージを受信し得ない可能性がある。このような場合、ＵＥ１７０２は、従来のハンドオーバー命令の効果なしに、トリガーされたＣＨＯ命令を実行することができる。
【０１５３】
なお、図１７に示す本実装形態における、アクション１７３６において、従来のＨＯ決定によって決定されたターゲット基地局は、ターゲット基地局１７０６であり、トリガーされたＣＨＯ命令に基づいて、たまたま選択されたターゲット基地局と同じである。別の実装形態において、従来のＨＯ決定によって選択されたターゲット基地局は、トリガーされたＣＨＯ命令に基づいて、選択されたターゲット基地局とは異なってもよい。
【０１５４】
図１８、１９、および２０における以下の実装形態は、未定義／予測不可能なＵＥ挙動を防止および／または回避するための例示的なＣＨＯ失敗対応手順を示す。一実装形態において、ＣＨＯ失敗に応答して、ＵＥは、直接、ＲＲＣ接続の再確立の手続きを行う可能性がある。別の実装形態において、ＣＨＯ失敗に応答して、ＵＥは、（他のＣＨＯ命令のトリガー条件を満たす場合）別のトリガーされたＣＨＯ命令を選択しようとするかもしれない。別の実装形態において、ＣＨＯ失敗に応答して、ＵＥは、ＣＨＯ失敗レポートを送信することによって、ソース基地局の応答を待機することができる。
【０１５５】
図１８を参照すると、図１８は、本出願の例示的な実施に従った、ＲＲＣ接続の再確立を介した例示的なＣＨＯ失敗対応手順を示す図である。本実装形態において、トリガーされたＣＨＯ命令に基づくＣＨＯ手順が失敗したとき、ＵＥは、ＲＲＣ接続の再確立手続きをトリガーすることがある。
【０１５６】
図１８に示すように、図の１８００はＵＥ１８０２、送信元基地局（例えば、ｇＮＢ）１８０４、ターゲット基地局（例えば、ｇＮＢ）１８０６、ターゲット基地局（例えば、ｇＮＢ）１８０８を含む。図の１８００に示されるように、アクション１８１０、１８１２、１８１４、１８１６、１８１８、１８２０、１８２２、１８２４、１８２６、１８２８、１８３０、１８３２、１８３４、および１８３６は、図９におけるアクション９１０、９１２、９１４、９１６、９１８、９２０、９２２、９２４、９２６、９２８、９３０、９３２、９３４、および９３６と実質的に同様であり得る。
【０１５７】
図１８に示すように、ＵＥ１８０２は、アクション１８３８において、ＣＨＯ命令＃１（最も高いＨＯ優先度を有する）を実行することができる。しかしながら、ＣＨＯ手順は、例えば、失敗したランダムアクセス手順が失敗またはＣＨＯ実行タイマーが終了したために、アクション１８４０において、失敗することがある。例えば、ＣＨＯ実行タイマーは、ＣＨＯ命令メッセージで構成されるＬＴＥネットワークにおける時間Ｔ３０４と同様であり得る。一旦、ＣＨＯ失敗が発生すると、アクション１８４０において、ＵＥ１８０２は、ＲＲＣ接続の再確立手順をトリガーし、アクション１８４２において、ＲＲＣ接続を再開することができる。ＲＲＣ接続の再確立手順を実行するために、ＵＥ１８０２は予め定義された適切なセル基準（例えば、信号強度または品質基準）に基づいて、ＲＲＣ接続の再確立要求メッセージを送信するために適切なセルを選択することができ、許可されたパブリックランドモバイルネットワーク（ＰＬＭＮ）（例えば、選択された非アクセス層（ＮＡＳ）、登録されたＰＬＭＮ、または等価ＰＬＭＮリストのＰＬＭＮ）の一部であり得る。また、適切なセルは、除外されず、ローミングのための禁止されたトラッキングエリアのリストのトラッキングエリアに属さない場合がある。いくつかの実装形態において、一旦、ＣＨＯ失敗が起こり、ＵＥがＲＲＣ接続の再確立の手順をトリガーすると、ＵＥは、ＲＲＣ再確立の要求メッセージのＣＨＯ失敗として再確立の原因を設定するかもしれない。
【０１５８】
別の実装形態において、ＵＥ１８０２のための各ＣＨＯ命令のターゲットセルがＲＲＣ接続の再確立のための適切なセルとして考えることができ、一方、これらのターゲットセルは、上述の適切なセルの定義を満たす。ＨＯ優先度パラメータは、関連付けられたターゲットセルのための各ＣＨＯ命令に与えられ得る。ＲＲＣ接続の再確立のための適切なセルを選択する場合、ＨＯ優先度は、適切なセルの基準の一部として考慮され得る。具体的には、ＲＲＣ接続の再確立のためのすべての適切なセルの中で、ＵＥ１８０２は最初に、最も高いＨＯ優先度を有する適切なセルを選択し得る。ＨＯ優先度を持たない適切なセルがある場合（例えば、セルがＣＨＯ命令ターゲットセルでない場合、または関連するＣＨＯ命令がＨＯ優先度を割り当てられていない場合）、セルのＨＯ優先度はデフォルト優先度に設定されてもよい。
【０１５９】
図１９を参照すると、図１９は、本出願の例示的な実装形態に従って、ＣＨＯ失敗報告を送信することによる、例示的なＣＨＯ失敗対応の手順を示す図である。本実装形態において、トリガーされたＣＨＯ命令に基づくＣＨＯ手順が失敗したとき、ＵＥは、送信元基地局に知らせるためにＣＨＯ失敗報告を送信してもよく、送信元基地局はハンドオーバー手順を開始するなどのアクションを実行してもよい。また、トリガーされたＣＨＯ命令もそれに応じてリリースしてもよい。
【０１６０】
図１９に示すように、図の１９００は、ＵＥ１９０２、送信元基地局（例えばｇＮＢ）１９０４、ターゲット基地局（例えばｇＮＢ）１９０６、ターゲット基地局（例えばｇＮＢ）１９０８を含む。図の１９００に示されるように、アクション１９１０、１９１２、１９１４、１９１６、１９１８、１９２０、１９２２、１９２４、１９２６、１９２８、１９３０、１９３２、１９３４、および１９３６は、それぞれ、図９のアクション９１０、９１２、９１４、９１６、９１８、９２０、９２２、９２４、９２６、９２８、９３０、９３２、９３４、および９３６と実質的に同様であり得る。
【０１６１】
図１９に示すように、ＵＥ１９０２は、アクション１９３８において、ＣＨＯ命令＃１（最も高いＨＯ優先度を有する）を実行し得る。しかしながら、ＣＨＯ手順は例えば、失敗したランダムアクセス手順またはＣＨＯ実行タイマー（例えば、Ｔ３０４のようなタイマー）の終了のために、アクション１９４０において、失敗し得る。
【０１６２】
ＣＨＯ失敗が起こると、ＵＥ１９０２は、送信元基地局１９０４に通知するためにＣＨＯ失敗報告を送信し得る。ＣＨＯ失敗報告の内容は、失敗したＣＨＯ命令のＩＤ、失敗したＣＨＯ命令に関する構成、ＣＨＯ失敗の原因、失敗したターゲットセルのＩＤ、失敗したターゲット基地局のＩＤ、および／または最新の測定結果が含まれてもよい。ＣＨＯ失敗報告に基づいて、送信元基地局１９０４は、ＵＥ１９０２のための次の適切なアクションを決定することができる。一実装形態において、送信元基地局１９０４は、従来のＨＯ手順を開始することを決定することができる。一実装形態において、送信元基地局１９０４が他のトリガーされたＣＨＯ命令（例えばＣＨＯ命令＃２）を選択するようにＵＥに指令してもよい。一実装形態において、送信元基地局１９０４は、ＵＥ１９０２がＣＨＯ手順を実行するために、別のＣＨＯ命令を選択してもよい。
【０１６３】
本出願の一実装形態において、ＵＥが構成された時間または予め定義された時間内に送信元基地局から応答を受信しない場合、または無線リンク失敗の問題を検出した場合、ＵＥはＲＲＣ接続の再確立手順を実行してもよく（例えば、セキュリティがアクティブ化される）、またはＩＤＬＥモードに入ってもよい（例えば、セキュリティがアクティブ化されない）。
【０１６４】
図２０を参照すると、図２０は、本出願の例示的な実装形態に従って、別のトリガーされたＣＨＯ命令を試行することによる、例示的なＣＨＯ失敗の対応手順を示す図である。本実装形態において、トリガーされたＣＨＯ命令に基づくＣＨＯ手順が失敗したとき、ＵＥは、（少なくとも１つのトリガーされたＣＨＯ命令が保留中の場合）別のトリガーされたＣＨＯ命令を実行することができる。実行するためにトリガーされたＣＨＯ命令がない場合、ＵＥはＲＲＣ接続の再確立手順をトリガーしてＲＲＣ接続を再開するか（図１８を参照）、次のアクションのために送信元基地局にＣＨＯ失敗報告を送信する（図１９を参照）。異なるＣＨＯ失敗の対応手順を、互いに組み合わせて使用するように構成することができる。
【０１６５】
図２０に示すように、図の２０００はＵＥ２００２、送信元基地局（例えばｇＮＢ）２００４、ターゲット基地局（例えばｇＮＢ）２００６、ターゲット基地局（例えばｇＮＢ）２００８を含む。図の２０００に示されるように、アクション２０１０、２０１２、２０１４、２０１６、２０１８、２０２０、２０２２、２０２４、２０２６、２０２８、２０３０、２０３２、２０３４、および２０３６は、それぞれ、図９のアクション９１０、９１２、９１４、９１６、９１８、９２０、９２２、９２４、９２６、９２８、９３０、９３２、９３４、および９３６と実質的に同様であり得る。
【０１６６】
図２０に示すように、ＵＥ２００２は、アクション２０３８において、ＣＨＯ命令（優先度が最も高い）を実行してもよい。しかし、ＣＨＯ手順は例えば、失敗したランダムアクセス手順またはＣＨＯ実行タイマー（例えば、Ｔ３０４のようなタイマー）の終了のために、アクション２０４０において、失敗する。ただし、別のトリガーされたＣＨＯ命令＃２は保留中である。従って、本実装形態において、ＵＥ２００２は、ＣＨＯ命令＃２（２番目に最も高いＨＯ優先度を有する）を実行し、ターゲットセル＃２内のターゲット基地局２００８への接続を試みることができる。ターゲットセル＃２に対するＨＯ手順が成功した場合、ＵＥ２００２に保存された他のＣＨＯ命令は、それに応じてリリースされ得る。
【０１６７】
図２１は、本出願の様々な態様による、無線通信のためのノードのブロック図を示す。図２１に示すように、ノード２１００は、トランシーバ２１２０、プロセッサ２１２６、メモリ２１２８、１つ以上の表示構成要素２１３４、および少なくとも１つのアンテナ２１３６を含むことができる。ノード２１００はまた、無線周波数（ＲＦ）スペクトルバンドモジュール、基地局通信モジュール、ネットワーク通信モジュール、およびシステム通信管理モジュール、入出力（Ｉ／Ｏ）ポート、Ｉ／Ｏ構成要素、および電源（図２１に明示的に示されていない）を含み得る。これらの構成要素の各々は１つ以上のバス２１４０を介して、直接的または間接的に、互いに通信してもよい。
【０１６８】
送信機２１２２および受信機２１２４を有するトランシーバ２１２０は、時間および／または周波数リソース分割情報を送信および／または受信するように構成されてもよい。いくつかの実装形態において、トランシーバ２１２０が使用可能、使用不能、および柔軟に使用可能なサブフレームおよびスロットフォーマットを含むがこれらに限定されない、異なるタイプのサブフレームおよびスロットで送信するように構成することができる。トランシーバ２１２０はデータ及び制御チャネルを受信するように構成されてもよい。
【０１６９】
ノード２１００は、種々のコンピュータ読み取り可能媒体を含むことができる。コンピュータ読み取り可能媒体は、ノード２１００によってアクセス可能な任意の利用可能媒体であり得、揮発性媒体と不揮発性媒体の両方、取り外し可能媒体と取り外し不可能媒体の両方を含む。例としての手段として、コンピュータ読み取り可能媒体は、コンピュータ記憶媒体および通信媒体を備えてもよいが、限定されない。コンピュータ記憶媒体は、コンピュータ読み取り可能命令、データ構造、プログラムモジュールまたは他のデータといった情報を記憶するための任意の方法または技術で実装される揮発性および不揮発性、取り外し可能および不取り外し可能媒体の両方を含む。
【０１７０】
コンピュータ記憶媒体は、ＲＡＭ、ＲＯＭ、ＥＥＰＲＯＭ（登録商標）、フラッシュメモリまたは他のメモリ技術、ＣＤ−ＲＯＭ、デジタル多用途ディスク（ＤＶＤ）または他の光ディスク記憶装置、磁気カセット、磁気テープ、磁気ディスク記憶装置または他の磁気記憶装置を含む。コンピュータ記憶媒体は、伝播データ信号を含まない。通信媒体は、典型的には、搬送波または他の転送機構といったコンピュータ読み取り可能命令、データ構造、プログラムモジュール、または他のデータと一体化しており、すべての情報デリバリー媒体を含む。用語「変調されたデータ信号」は、その特性のうちの１つ以上が信号内の情報を符号化するように設定または変更された信号を意味する。例として、通信媒体は、有線ネットワークまたは直接有線接続などの有線媒体と、音響、ＲＦ、赤外線、および他の無線媒体などの無線媒体とを含むが、これに限定されない。上記の全ての組み合わせは、コンピュータ読み取り可能媒体の範囲に含まれる。
【０１７１】
メモリ２１２８は、揮発性および／または不揮発性メモリの形態のコンピュータ記憶媒体を含むことができる。メモリ２１２８は、取り外し可能、取り外し不可能、またはそれらの組み合わせであってもよい。例示的なメモリは、固体メモリ、ハードドライブ、光ディスクドライブなどを含む。図２１に示すように、メモリ２１２８は、実行されるときに、プロセッサ２１２６に、例えば、図１から図２０を参照して本明細書に記載される様々な機能を実行させるように構成される、コンピュータ読み取り可能なコンピュータ実行可能命令２１３２（例えば、ソフトウェアコード）を保存してもよい。あるいは、命令２１３２は、プロセッサ２１２６によって直接実行可能ではなく、ノード２１００に（例えば、コンパイルされ、実行されたときに）本明細書に記載する種々の機能を実行させるように構成されてもよい。
【０１７２】
プロセッサ２１２６は、インテリジェントハードウェアデバイス、例えば、中央処理ユニット（ＣＰＵ）、マイクロコントローラ、ＡＳＩＣなどを含むことができる。プロセッサ２１２６は、メモリを含むことができる。プロセッサ２１２６は、メモリ２１２８から受信したデータ２１３０および命令２１３２、ならびにトランシーバ２１２０、ベースバンド通信モジュール、および／またはネットワーク通信モジュールを介した情報を処理することができる。プロセッサ２１２６はまた、アンテナ２１３６を通して送信するためにトランシーバ２１２０に送られるべき情報を処理して、コアネットワークに送信するためにネットワーク通信モジュールに送ることができる。
【０１７３】
１つ以上の表示構成要素２１３４は、人または他のデバイスにデータ表示を提示する。例示的な１つ以上の表示構成要素２１３４は、ディスプレイ装置、スピーカー、印刷構成要素、振動構成要素などを含む。
【０１７４】
本出願のいくつかの実装形態において、保存されたＣＨＯ命令の応答として、測定報告内容のサイズまたは測定報告の数を減少させる。したがって、ＣＨＯ手順中のシグナリングオーバーヘッドを低減することができる。
【０１７５】
本出願のいくつかの実装形態において、送信元基地局（例えばｇＮＢ）は、ターゲット基地局がＵＥに対して適切なＣＨＯ命令を行うことができるように、異なるＵＥ特性に基づいて、所望のＣＨＯの種類について１つ以上のターゲット基地局（例えばｇＮＢ）に通知することを可能にする。そのため、未使用のＣＨＯ命令による無線リソースの無駄が低減される可能性がある。
【０１７６】
本出願のいくつかの実装形態において、送信元基地局がシステムの状態をより良く見渡し（例えば、全体像）、送信元基地局が、Ｘ２／Ｘｎインターフェースを介してターゲット基地局とのネゴシエーション時間を節約し得るので、事前に構成されたＣＨＯのうちの１つを実行するようにＵＥに指示することを可能にする。
【０１７７】
ＣＨＯ手順は、ネットワーク制御可能性を維持するために、ＵＥによって開始されたネットワーク構成手順と見なすことができるため、本出願のいくつかの実装形態は、ＣＨＯ命令に対応するトリガー条件が満たされたときにのみ、ＵＥがＣＨＯ命令を実行できるようにしてもよい。ＣＨＯ命令のトリガー条件は、本実施形態の一部において、ネットワークによって構成されてもよい。さらに、ＣＨＯ命令は、ＵＥに送信されるにもかかわらず、本出願のいくつかの実装形態は、ネットワークが例えば、ＵＥに選択されたＣＨＯ手順に取って代わるか、または上書きする、従来のハンドオーバー手順をトリガーする能力を有することによって、最終的なハンドオーバー手順の制御可能性を維持することを可能にし得る。
【０１７８】
ネットワーク制御性を増加させるために、本出願のいくつかの実装形態によれば、ＵＥは、応答タイマーに関連付けられたトリガーされたＣＨＯ命令を送信元基地局に知らせるための通知を送ることができる。トリガーされたＣＨＯ命令は、ＣＨＯ命令のトリガー条件が満たされるものの１つであってもよい。本出願の一実装形態において、送信元基地局がトリガーされたＣＨＯ命令の実行に対する許可を与えること、新しいハンドオーバー命令を送信すること、またはトリガーされたＣＨＯ命令の実行を拒否することを決定する時間を有することができるように、新しいタイマーが利用される。本出願の一実装形態において、タイマーが終了する前に、ＵＥが送信元基地局から応答を受信しない場合、ＵＥはサービングセル品質が急速に低下し、応答を受信できなかったと決定してもよい。このような場合において、ＵＥは、トリガーされたＣＨＯ命令を直接実行することができる。本出願の別の実装形態において、ＵＥが送信元基地局に通知を送信し、送信元基地局からの許可を要求することなく、または応答を待つことなく、トリガーされたＣＨＯ命令を直接実行することができる。
【０１７９】
本出願のいくつかの実装形態において、複数のトリガーされたＣＨＯ命令の選択機構が、予測不能なＵＥ挙動を回避するために利用され、選択機構に従って、トリガーされたＣＨＯ命令に対応するハンドオーバー手順が優先され得る。
【０１８０】
本出願のいくつかの実装形態によれば、ネットワーク性能を改善するために、ＣＨＯ命令の実行を基地局に知らせるために、ＵＥから送信元基地局に通知を送ることができる。
【０１８１】
本出願のいくつかの実装形態によれば、ＵＥ挙動の予測不能性を低減するために、ＣＨＯ失敗の対応を選択するための機構が開示され得る。
【０１８２】
上記の説明から、本出願に記載される概念を実施するために、それらの概念の範囲から逸脱することなく、様々な技術を使用することができることが明らかである。さらに、概念は、特定の実装形態を特に参照して記載されているが、当業者はそれらの概念の範囲から逸脱することなく、形態および詳細に変更を行うことができることを認識することができる。したがって、説明された実施形態はすべての点において、例示的なものであり、限定的なものではないと考えられるべきである。また、本出願は、上述の特定の実施形態に限定されるものではなく、本開示の範囲から逸脱することなく、多くの再構成、修正、および置換が可能であることを理解されたい。
【図１】
2021510272.tif 000003
【図２】
2021510272.tif 000004
【図３】
2021510272.tif 000005
【図４】
2021510272.tif 000006
【図５】
2021510272.tif 000007
【図６】
2021510272.tif 000008
【図７】
2021510272.tif 000009
【図８】
2021510272.tif 000010
【図９】
2021510272.tif 000011
【図１０】
2021510272.tif 000012
【図１１】
2021510272.tif 000013
【図１２】
2021510272.tif 000014
【図１３】
2021510272.tif 000015
【図１４】
2021510272.tif 000016
【図１５】
2021510272.tif 000017
【図１６】
2021510272.tif 000018
【図１７】
2021510272.tif 000019
【図１８】
2021510272.tif 000020
【図１９】
2021510272.tif 000021
【図２０】
2021510272.tif 000022
【図２１】
2021510272.tif 000023
【国際調査報告】
2021510272.tif 000024
2021510272.tif 000025